(57)【要約】  第２のコアネットワークと第２のコアネットワークを構成する通信システムにおいて、第１のコアネットワークに配置される位置管理装置が主導して、コアネットワークの切り替え手続きを開始する。切り替え手続きでは、基地局装置のＭＭＥ選択手段により、第２のコアネットワークを選択し、端末装置は第２のコアネットワーク接続することができる。これにより、複数のコアネットワークが多重化された通信システムにおいて、端末装置がコアネットワークを切り替えて接続するための通信制御方法等を提供することとなる。
2016056321.tif 000002
【特許請求の範囲】
【請求項１】
第１の位置管理装置を含む第１のコアネットワークと、第２の位置管理装置とを含む第２のコアネットワークとに接続する基地局装置であって、
少なくとも第１の識別情報を含むコンテキスト解放メッセージまたはルート再設定要求メッセージを前記第１の位置管理装置から受信し、
前記第１の識別情報は、前記第２のコアネットワークへ接続することを指示または要求する識別情報であり、
端末装置からアタッチ要求メッセージまたはトラッキングエリア更新要求メッセージを受信し、
前記第１の識別情報に基づいて前記第２の位置管理装置を選択し、
前記アタッチ要求メッセージまたは前記トラッキングエリア更新要求メッセージを、選択した前記第２の位置管理装置に送信する、
ことを特徴とする基地局装置。
【請求項２】
前記第１の識別情報は、前記第２のコアネットワークに対応づけられたコアネットワークタイプである、
ことを特徴とする請求項１に記載の基地局装置。
【請求項３】
前記第１の識別情報は、前記第２のコアネットワークに含まれる位置管理装置のグループ識別情報である、
ことを特徴とする請求項１に記載の基地局装置。
【請求項４】
前記コンテキスト解放メッセージを受信した場合、
前記コンテキスト解放メッセージの受信に伴いタイマーを開始し、
前記タイマーを実行中である場合には、前記第１の識別情報に基づいて前記第２の位置管理装置を選択し、
前記タイマーを実行していない場合には、前記第１の位置管理装置を選択し、
前記アタッチ要求メッセージまたは前記トラッキングエリア更新要求メッセージを選択した前記第１の位置管理装置又は前記第２の位置管理装置に送信する、
ことを特徴とする請求項１から３の何れか一項に記載の基地局装置。
【請求項５】
前記コンテキスト解放メッセージを受信した場合、
前記コンテキスト解放メッセージの受信に基づいて、ＲＲＣコネクション解放要求メッセージを前記端末装置に送信し、
前記ＲＲＣコネクション解放要求メッセージには、前記第２のコアネットワークへ接続することを指示または要求する第２の識別情報を少なくとも含める、
ことを特徴とする請求項１から４の何れか一項に記載の基地局装置。
【請求項６】
端末装置であって、
少なくとも第１の識別情報とアタッチが必要であることを示す情報とを含むデタッチ要求メッセージを第１のコアネットワークに含まれる第１の位置管理装置から受信し、
前記第１の識別情報は、再度アタッチを指示または要求する識別情報であり、
前記デタッチ要求メッセージの受信に基づいて、少なくとも第２の識別情報を含めてアタッチ要求メッセージを基地局装置に送信してアタッチ手続きを開始し、
前記第２の識別情報は、第２のコアネットワークへ接続することを指示または要求する識別情報であり、
前記アタッチ手続きの完了に伴い、前記第２のコアネットワークに含まれるゲートウェイ装置との間にＰＤＮ（Packet Data Network）コネクションを確立する、
ことを特徴とする端末装置。
【請求項７】
端末装置であって、
少なくとも第１の識別情報を含むページングメッセージを第１のコアネットワークに含まれる第１の位置管理装置から受信し、
前記第１の識別情報は、第２のコアネットワークへ接続することを指示または要求する識別情報であり、
前記ページングメッセージの受信に基づいて、サービス要求メッセージを前記第１の位置管理装置に送信し、
前記サービス要求メッセージの応答であり、少なくともデタッチした状態を示す識別情報を含むサービスリジェクトメッセージを第１の位置管理装置から受信し、
前記サービスリジェクトメッセージの受信に基づいて、少なくとも第２の識別情報を含めてアタッチ要求メッセージを基地局装置に送信してアタッチ手続きを開始し、
前記第２の識別情報は、前記第２のコアネットワークへ接続することを指示または要求する識別情報であり、
前記アタッチ手続きの完了に伴い、前記第２のコアネットワークに含まれるゲートウェイ装置との間にＰＤＮ（Packet Data Network）コネクションを確立する、
ことを特徴とする端末装置。
【請求項８】
前記第１の識別情報及び／又は前記第２の識別情報は、前記第２のコアネットワークに対応づけられたコアネットワークタイプである、
ことを特徴とする請求項６又は７に記載の端末装置。
【請求項９】
前記第１の識別情報及び／又は前記第２の識別情報は、前記第２のコアネットワークに含まれる位置管理装置のグループ識別情報である、
ことを特徴とする請求項６又は７に記載の端末装置。
【請求項１０】
第１のコアネットワークに含まれる位置管理装置であって、
少なくとも第１の識別情報を含むコンテキスト解放メッセージまたはルート再設定要求メッセージを基地局装置に送信し、
前記第１の識別情報は、第２のコアネットワークへ接続することを指示または要求する識別情報であり、
前記コンテキスト解放メッセージまたは前記ルート再設定要求メッセージの応答メッセージを前記基地局装置から受信する、
ことを特徴とする位置管理装置。
【請求項１１】
前記コンテキスト解放メッセージまたは前記ルート再設定要求メッセージを前記基地局装置に送信するために、少なくとも前記第１の識別情報を含むデタッチ要求メッセージまたはページングメッセージを端末装置に送信する、
ことを特徴とする請求項１０に記載の位置管理装置。
【請求項１２】
前記第１の識別情報は、前記第２のコアネットワークに対応づけられたコアネットワークタイプである、
ことを特徴とする請求項１０または１１に記載の位置管理装置。
【請求項１３】
前記第１の識別情報は、前記第２のコアネットワークに含まれる位置管理装置のグループ識別情報である、
ことを特徴とする請求項１０または１１に記載の位置管理装置。
【請求項１４】
第１の位置管理装置を含む第１のコアネットワークと、第２の位置管理装置を含む第２のコアネットワークとに接続する基地局装置の制御方法であって、
少なくとも第１の識別情報を含むコンテキスト解放メッセージまたはルート再設定要求メッセージを前記第１の位置管理装置から受信するステップと、
前記第１の識別情報は、前記第２のコアネットワークへ接続することを指示または要求する識別情報であり、
端末装置からアタッチ要求メッセージまたはトラッキングエリア更新要求メッセージを受信するステップと、
前記第１の識別情報に基づいて前記第２の位置管理装置を選択し、
前記アタッチ要求メッセージまたは前記トラッキングエリア更新要求メッセージを選択した前記第２の位置管理装置に送信するステップと、
を有することを特徴とする基地局装置の制御方法。
【請求項１５】
第１の位置管理装置を含む第１のコアネットワークと、第２の位置管理装置を含む第２のコアネットワークとに接続する基地局装置の制御方法であって、
少なくとも第１の識別情報を含むコンテキスト解放メッセージを前記第１の位置管理装置から受信するステップと、
前記第１の識別情報は、前記第２のコアネットワークへ接続することを指示または要求する識別情報であり、
前記コンテキスト解放メッセージの受信に伴いタイマーを開始するステップと、
端末装置からアタッチ要求メッセージまたはトラッキングエリア更新要求メッセージを受信するステップと、
前記タイマーを実行中である場合には、前記第１の識別情報に基づいて前記第２の位置管理装置を選択して、前記アタッチ要求メッセージまたは前記トラッキングエリア更新要求メッセージを選択した第２の位置管理装置に送信するするステップと、
前記タイマーを実行していない場合には、前記第１の位置管理装置を選択して、前記アタッチ要求メッセージまたは前記トラッキングエリア更新要求メッセージを前記第１の位置管理装置に送信するステップと、
を有することを特徴とする基地局装置の制御方法。
【請求項１６】
前記第１の識別情報は、前記第２のコアネットワークに対応づけられたコアネットワークタイプである、
ことを特徴とする請求項１４または１５に記載の基地局装置の制御方法。
【請求項１７】
前記第１の識別情報は、前記第２のコアネットワークに含まれる位置管理装置のグループ識別情報である、
ことを特徴とする請求項１４または１５に記載の基地局装置の制御方法。
【請求項１８】
前記コンテキスト解放メッセージの受信に基づいて、ＲＲＣコネクション解放要求メッセージを前記端末装置に送信するステップと、
前記ＲＲＣコネクション解放要求メッセージには、前記第２のコアネットワークへ接続することを指示または要求する第２の識別情報を少なくとも含めるステップと、
を有することを特徴とする請求項１４から１７の何れか一項に記載の基地局装置の制御方法。
【請求項１９】
端末装置の制御方法であって、
少なくとも第１の識別情報とアタッチが必要であることを示す情報を含むデタッチ要求メッセージを第１のコアネットワークに含まれる第１の位置管理装置から受信するステップと、
前記第１の識別情報は、再度アタッチを指示または要求する識別情報であり、
デタッチメッセージの受信に基づいて、少なくとも第２の識別情報を含めてアタッチ要求メッセージを基地局装置に送信してアタッチ手続きを開始するステップと、
前記第２の識別情報は、第２のコアネットワークへ接続することを指示または要求する識別情報であり、
前記アタッチ手続きの完了に伴い、前記第２のコアネットワークに含まれるゲートウェイ装置との間にＰＤＮ（Packet Data Network）コネクションを確立するステップと、
を有することを特徴とする端末装置の制御方法。
【請求項２０】
端末装置の制御方法であって、
少なくとも第１の識別情報を含むページングメッセージを第１のコアネットワークに含まれる第１の位置管理装置から受信するステップと、
前記第１の識別情報は、第２のコアネットワークへ接続することを指示または要求する識別情報であり、
前記ページングメッセージの受信に基づいて、サービス要求メッセージを前記第１の位置管理装置に送信するステップと、
前記サービス要求メッセージの応答であり、少なくともデタッチした状態を示す識別情報を含むサービスリジェクトメッセージを第１の位置管理装置から受信するステップと、
前記サービスリジェクトメッセージの受信に基づいて、少なくとも第２の識別情報を含めてアタッチ要求メッセージを基地局装置に送信してアタッチ手続きを開始するステップと、
前記第２の識別情報は、前記第２のコアネットワークへ接続することを指示または要求する識別情報であり、前記アタッチ手続きの完了に伴い、前記第２のコアネットワークに含まれるゲートウェイ装置との間にＰＤＮ（Packet Data Network）コネクションを確立するステップと、
を有することを特徴とする端末装置の制御方法。
【請求項２１】
前記第１の識別情報及び／又は前記第２の識別情報は、第２のコアネットワークに対応づけられたコアネットワークタイプである、
ことを特徴とする請求項１９又は２０に記載の端末装置の制御方法。
【請求項２２】
前記第１の識別情報及び／又は前記第２の識別情報は、第２のコアネットワークに含まれる位置管理装置のグループ識別情報である、
ことを特徴とする請求項１９又は２０に記載の端末装置の制御方法。
【請求項２３】
第１のコアネットワークに含まれる位置管理装置の制御方法であって、
少なくとも第１の識別情報を含むコンテキスト解放メッセージまたはルート再設定要求メッセージを基地局装置に送信するステップと、
前記第１の識別情報は、第２のコアネットワークへ接続することを指示または要求する識別情報であり、
前記コンテキスト解放メッセージまたは前記ルート再設定要求メッセージの応答メッセージを前記基地局装置から受信するステップと、
を有することを特徴とする位置管理装置の制御方法。
【請求項２４】
前記コンテキスト解放メッセージまたは前記ルート再設定要求メッセージを前記基地局装置に送信するために、少なくとも前記第１の識別情報を含むデタッチ要求メッセージまたはページングメッセージを端末装置に送信するステップ、
を有することを特徴とする請求項２３に記載の位置管理装置の制御方法。
【請求項２５】
前記第１の識別情報は、前記第２のコアネットワークに対応づけられたコアネットワークタイプである、
ことを特徴とする請求項２３または２４に記載の位置管理装置の制御方法。
【請求項２６】
前記第１の識別情報は、前記第２のコアネットワークに含まれる位置管理装置のグループ識別情報である、
ことを特徴とする請求項２３または２４に記載の位置管理装置の制御方法。
【発明の詳細な説明】
【技術分野】
【０００１】
本発明は、基地局装置、端末装置、位置管理装置および制御方法に関する。
【背景技術】
【０００２】
近年の移動通信システムの標準化活動を行う３ＧＰＰ（The 3rd Generation Partnership Project）では、オールＩＰ化を実現する、非特許文献１に記載のＥＰＳ（Evolved Packet System）の仕様化を行っている。ＥＰＳは、移動通信事業者等が携帯電話サービス
を提供するための移動通信システムであり、ＥＰＣ（Ｅｖｏｌｖｅｄ  Ｐａｃｋｅｔ  Ｃｏｒｅ）と呼ばれるコアネットワークやＬＴＥ(Ｌｏｎｇ  Ｔｅｒｍ  Ｅｖｏｌｕｔｉｏｎ)とよばれる無線通信規格に基づくアクセスネットワーク等を含めて構成されている。【０００３】
さらに、３ＧＰＰのＥＰＳの仕様化の中で、コアネットワークの多重化（オーバーレイ）を目的にＤＥＣＯＲ(Dedicated Core Networks)の検討を行っている。ＤＥＣＯＲでは、通信システムは複数のネットワークを多重化して構成し、端末装置は端末種別等に応じて異なるネットワークへ接続する。これにより、端末種別に応じて端末トラヒックを分散することができたり、端末種別に応じたトラヒック管理を行うことができる。【０００４】
例えば、近年増加傾向にあるＭ２Ｍ（Machine to Machine）端末は、Ｍ２Ｍ専用のコアネットワークに接続し、スマートフォン等の一般の携帯電話端末はメインのコアネットワークに接続するなどの利用方法を実現することができる。
【先行技術文献】
【非特許文献】
【０００５】
【非特許文献１】３ＧＰＰ  ＴＳ２３．４０１  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ、  Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ  （Ｒｅｌｅａｓｅ  １２）
【発明の概要】
【発明が解決しようとする課題】
【０００６】
ＤＥＣＯＲでは、メインのコアネットワークと、オーバーレイされたコアネットワークとを端末装置の特性により分けることを規定している。これらのコアネットワーク内には、それぞれ異なる移動管理装置が含まれて構成されている。【０００７】
したがって、端末装置が接続するコアネットワークは端末種別や端末特性に応じて適切に選択される必要がある。そのためには、位置管理装置が端末種別や端末特性に応じて適切に選択される必要がある。【０００８】
しかしながら、現在こうした端末種別や端末特性等に応じて適切にコアネットワークが選択され、端末が選択されたコアネットワークに接続するための手段は明らかになっていない。【０００９】
本発明は、このような事情を鑑みてなされたもので、その目的は、複数の多重化されたコアネットワークが構成された移動通信システムにおいて、端末が適切なコアネットワークへ接続して移動通信をするための好適な手段を提供することである。
【課題を解決するための手段】
【００１０】
本発明の基地局装置は、第１の位置管理装置を含む第１のコアネットワークと、第２の位置管理装置とを含む第２のコアネットワークとに接続する基地局装置であって、少なくとも第１の識別情報を含むコンテキスト解放要求メッセージまたはルート再設定要求メッセージを第１の位置管理装置から受信し、第１の識別情報は、第２のコアネットワークへ接続することを指示または要求する識別情報であり、端末装置からアタッチ要求メッセージまたはトラッキングエリア更新要求メッセージを受信し、第１の識別情報に基づいて第２の位置管理装置を選択し、アタッチ要求メッセージまたはトラッキングエリア更新要求メッセージを、選択した位置管理装置に送信することを特徴とする。【００１１】
本発明の基地局装置は、第１の識別情報は、第２のコアネットワークに対応づけられたコアネットワークタイプであることを特徴とする。【００１２】
本発明の基地局装置は、第１の識別情報は、第２のコアネットワークに含まれる位置管理装置のグループ識別情報であることを特徴とする。【００１３】
本発明の基地局装置は、コンテキスト解放要求メッセージの受信に伴いタイマーを開始し、タイマーを実行中である場合には、第１の識別情報に基づいて第２の位置管理装置を選択し、タイマーを実行していない場合には、アタッチ要求メッセージまたはトラッキングエリア更新要求メッセージを第１の位置管理装置に送信することを特徴とする。【００１４】
本発明の基地局装置は、コンテキスト解放要求メッセージの受信に基づいて、ＲＲＣコネクション解放要求メッセージを端末装置に送信し、ＲＲＣコネクション解放要求メッセージには、第２のコアネットワークへ接続することを指示または要求する識別情報第２の識別情報を少なくとも含めることを特徴とする。【００１５】
本発明の端末装置は、少なくとも第１の識別情報とアタッチが必要であることを示す情報を含むデタッチ要求メッセージを第１のコアネットワークに含まれる第１の位置管理装置から受信し、第１の識別情報は、第２のコアネットワークへ接続することを指示または要求する識別情報であり、デタッチメッセージの受信に基づいて、少なくとも第２の識別情報を含めてアタッチ要求メッセージを基地局装置に送信してアタッチ手続きを開始し、前記第２の識別情報は、第２のコアネットワークへ接続することを指示または要求する識別情報であり、アタッチ手続きの完了に伴い、第２のコアネットワークに含まれるゲートウェイ装置との間にＰＤＮ（Packet Data Network）コネクションを確立することを特徴とする。【００１６】
本発明の端末装置は、少なくとも第１の識別情報を含むページングメッセージを第１のコアネットワークに含まれる第１の位置管理装置から受信し、第１の識別情報は、第２のコアネットワークへ接続することを指示または要求する識別情報であり、ページングメッセージの受信に基づいて、サービス要求メッセージを第１の位置管理装置に送信し、サービス要求メッセージの応答であり、少なくともデタッチした状態を示す識別情報を含むサービスリジェクトメッセージを第１の位置管理装置から受信し、サービスリジェクトメッセージの受信に基づいて、少なくとも第２の識別情報を含めてアタッチ要求メッセージを基地局装置に送信してアタッチ手続きを開始し、前記第２の識別情報は、第２のコアネットワークへ接続することを指示または要求する識別情報であり、アタッチ手続きの完了に伴い、第２のコアネットワークに含まれるゲートウェイ装置との間にＰＤＮ（Packet Data Network）コネクションを確立することを特徴とする。【００１７】
本発明の端末装置は、第１の識別情報及び／又は第２の識別情報は、第２のコアネットワークに対応づけられたコアネットワークタイプであることを特徴とする。【００１８】
本発明の端末装置は、第１の識別情報及び／又は第２の識別情報は、第２のコアネットワークに含まれる位置管理装置のグループ識別情報であることを特徴とする。【００１９】
本発明の位置管理装置は、第１のコアネットワークに含まれる位置管理装置であって、少なくとも第１の識別情報を含むコンテキスト解放要求メッセージまたはルート再設定要求メッセージを基地局装置に送信し、第１の識別情報は、第２のコアネットワークへ接続することを指示または要求する識別情報であり、コンテキスト解放要求メッセージまたはルート再設定要求メッセージの応答メッセージを基地局装置から受信することを特徴とする。【００２０】
本発明の位置管理装置は、少なくとも第１の識別情報を含むデタッチ要求メッセージまたはページングメッセージを端末装置に送信し、デタッチ要求メッセージまたはページングメッセージの送信後、コンテキスト解放要求メッセージまたはルート再設定要求メッセージを送信することを特徴とする。【００２１】
本発明の位置管理装置は、第１の識別情報は、第２のコアネットワークに対応づけられたコアネットワークタイプであることを特徴とする。【００２２】
本発明の位置管理装置は、第１の識別情報は、第２のコアネットワークに含まれる位置管理装置のグループ識別情報であることを特徴とする。【００２３】
本発明の基地局装置の制御方法は、第１の位置管理装置を含む第１のコアネットワークと、第２の位置管理装置を含む第２のコアネットワークとに接続する基地局装置の制御方法であって、少なくとも第１の識別情報を含むコンテキスト解放要求メッセージまたはルート再設定要求メッセージを第１の位置管理装置から受信するステップと、第１の識別情報は、第２のコアネットワークへ接続することを指示または要求する識別情報であり、端末装置からアタッチ要求メッセージまたはトラッキングエリア更新要求メッセージを受信するステップと、第１の識別情報に基づいて第２の位置管理装置を選択し、アタッチ要求メッセージまたはトラッキングエリア更新要求メッセージを選択した位置管理装置に送信するするステップとを有することを特徴とする。【００２４】
本発明の基地局装置の制御方法は、第１の位置管理装置を含む第１のコアネットワークと、第２の位置管理装置を含む第２のコアネットワークとに接続する基地局装置の制御方法であって、少なくとも第1の識別情報を含むコンテキスト解放要求メッセージまたはルート再設定要求メッセージを第1の位置管理装置から受信するステップと、第１の識別情報は、第２のコアネットワークへ接続することを指示または要求する識別情報であり、コンテキスト解放要求メッセージの受信に伴いタイマーを開始するステップと、端末装置からアタッチ要求メッセージまたはトラッキングエリア更新要求メッセージを受信するステップと、タイマーを実行中である場合には、第１の識別情報に基づいて第２の位置管理装置を選択して、アタッチ要求メッセージまたはトラッキングエリア更新要求メッセージを選択した位置管理装置に送信するするステップと、タイマーを実行していない場合には、アタッチ要求メッセージまたはトラッキングエリア更新要求メッセージを第１の位置管理装置に送信するステップとを有することを特徴とする。【００２５】
本発明の基地局装置の制御方法は、第１の識別情報は、第２のコアネットワークに対応づけられたコアネットワークタイプであることを特徴とする。【００２６】
本発明の基地局装置の制御方法は、第１の識別情報は、第２のコアネットワークに含まれる位置管理装置のグループ識別情報であることを特徴とする。【００２７】
本発明の基地局装置の制御方法は、コンテキスト解放要求メッセージの受信に基づいて、ＲＲＣコネクション解放要求メッセージを端末装置に送信するステップと、ＲＲＣコネクション解放要求メッセージには、第２のコアネットワークへ接続することを指示または要求する識別情報第２の識別情報を少なくとも含めるステップとを有することを特徴とする。【００２８】
本発明の端末装置の制御方法は、少なくとも第１の識別情報とアタッチが必要であることを示す情報を含むデタッチ要求メッセージを第１のコアネットワークに含まれる第１の位置管理装置から受信するステップと、第１の識別情報は、第２のコアネットワークへ接続することを指示または要求する識別情報であり、デタッチメッセージの受信に基づいて、少なくとも第２の識別情報を含めてアタッチ要求メッセージを基地局装置に送信してアタッチ手続きを開始するステップと、前記第２の識別情報は、第２のコアネットワークへ接続することを指示または要求する識別情報であり、アタッチ手続きの完了に伴い、第２のコアネットワークに含まれるゲートウェイ装置との間にＰＤＮ（Packet Data Network）コネクションを確立するステップとを有することを特徴とする。【００２９】
本発明の端末装置の制御方法は、少なくとも第１の識別情報を含むページングメッセージを第１のコアネットワークに含まれる第１の位置管理装置から受信するステップと、第１の識別情報は、第２のコアネットワークへ接続することを指示または要求する識別情報であり、ページングメッセージの受信に基づいて、サービス要求メッセージを第１の位置管理装置に送信するステップと、サービス要求メッセージの応答であり、少なくともデタッチした状態を示す識別情報を含むサービスリジェクトメッセージを第１の位置管理装置から受信するステップと、サービスリジェクトメッセージの受信に基づいて、少なくとも第２の識別情報を含めてアタッチ要求メッセージを基地局装置に送信してアタッチ手続きを開始するステップと、前記第２の識別情報は、第２のコアネットワークへ接続することを指示または要求する識別情報であり、アタッチ手続きの完了に伴い、第２のコアネットワークに含まれるゲートウェイ装置との間にＰＤＮ（Packet Data Network）コネクションを確立するステップとを有することを特徴とする。【００３０】
本発明の端末装置の制御方法は、第１の識別情報及び／又は第２の識別情報は、第２のコアネットワークに対応づけられたコアネットワークタイプであることを特徴とする。【００３１】
本発明の端末装置の制御方法は、第１の識別情報及び／又は第２の識別情報は、第２のコアネットワークに含まれる位置管理装置のグループ識別情報であることを特徴とする。【００３２】
本発明の位置管理装置の制御方法は、第１のコアネットワークに含まれる位置管理装置の制御方法であって、少なくとも第１の識別情報を含むコンテキスト解放要求メッセージまたはルート再設定要求メッセージを基地局装置に送信するステップと、第１の識別情報は、第２のコアネットワークへ接続することを指示または要求する識別情報であり、コンテキスト解放要求メッセージまたはルート再設定要求メッセージの応答メッセージを基地局装置から受信するステップを有することを特徴とする。【００３３】
本発明の位置管理装置の制御方法は、少なくとも第１の識別情報を含むデタッチ要求メッセージまたはページングメッセージを端末装置に送信するステップと、デタッチ要求メッセージまたはページングメッセージの送信後、コンテキスト解放要求メッセージまたはルート再設定要求メッセージを送信するステップとを有することを特徴とする。【００３４】
本発明の位置管理装置の制御方法は、第１の識別情報は、第２のコアネットワークに対応づけられたコアネットワークタイプであることを特徴とする。【００３５】
本発明の位置管理装置の制御方法は、第１の識別情報は、第２のコアネットワークに含まれる位置管理装置のグループ識別情報であることを特徴とする。
【発明の効果】
【００３６】
本発明によれば、多重化されたコアネットワークを構成する通信ネットワークにおいて、端末装置がコアネットワークを切り替えて接続する手続き等を実現することができる。
【図面の簡単な説明】
【００３７】
【図１】移動通信システムの概略を説明するための図である。
【図２】ＩＰ移動通信ネットワークの構成等を説明するための図である。
【図３】ｅＮＢの機能構成を説明するための図である。
【図４】ＭＭＥの機能構成を説明するための図である。
【図５】実施形態における第1の手続きを説明するための図である。
【図６】移動通信システムの構成例を説明するための図である。
【図７】実施形態における第２の手続きを説明するための図である。
【図８】実施形態における第３の手続きを説明するための図である。
【図９】実施形態における第４の手続きを説明するための図である。
【発明を実施するための形態】
【００３８】
以下、図面を参照して本発明を実施する為に最良の形態について説明する。なお、本実施形態では一例として、本発明を適用した場合の移動通信システムの実施形態について説明する。
【００３９】
［１．第１の実施形態］
以下、図面を参照しながら本発明の実施形態による無線通信技術について詳細に説明する。
【００４０】
［１．１．システム概要］
図１は、本実施形態における移動通信システムの概略を説明するための図である。本図に示すように、移動通信システム１は、移動端末装置ＵＥ１０とアクセスネットワーク８０とコアネットワーク（タイプ１）９０とコアネットワーク（タイプ２）９２とＰＤＮ(Packet Data Network)＿Ａ１００とＰＤＮ＿Ｂ１０２により構成されている。
【００４１】
ここで、コアネットワークは、移動通信事業者（Ｍｏｂｉｌｅ  Ｏｐｅｒａｔｏｒ）が運用するＩＰ移動通信ネットワークのことである。なお、コアネットワーク（タイプ１）９０とコアネットワーク（タイプ２）９２は、移動通信システム１において多重化されて構成されたネットワークであってよい。
【００４２】
また、コアネットワーク（タイプ１）９０とコアネットワーク（タイプ２）９２は単一の移動通信事業者によって運用、管理されるコアネットワークであってもよい。もしくは、それぞれ異なる移動通信事業者によって運用、管理されるコアネットワークであってもよい。例えば、コアネットワーク（タイプ１）９０は移動通信システム１を運用、管理する移動通信事業者のためのコアネットワークであり、コアネットワーク（タイプ２）９２はＭＶＮＯ（Ｍｏｂｉｌｅ  Ｖｉｒｔｕａｌ  Ｎｅｔｗｏｒｋ  Ｏｐｅｒａｔｏｒ）などの仮想移動通信事業者のためのコアネットワークであってよい。このように、コアネットワーク（タイプ２）９２は仮想移動通信事業者網として構成されてもよい。ここで、タイプ１やタイプ２等のタイプは、コアネットワークを識別する情報であってよい。コアネットワークを識別する情報は、タイプに限らずコアネットワークを識別することができる情報であればよい。例えば、通信事業者がコアネットワークに識別番号を割り当て、識別番号で複数の多重化されたコアネットワークを識別してもよいし、ＭＶＮＯを含む複数の移動通信事業者がそれぞれコアネットワークを構成する場合、移動通信事業者を識別する情報でコアネットワークを識別してもよい。
【００４３】
さらに、ＵＥ１０はあらかじめコアネットワークのタイプが割り当てられていてもよい。例えば、ＵＥ１０はタイプ２のコアネットワークに接続可能な端末であると管理されていてもよい。また、ＵＥ１０は、タイプ２のコアネットワークが展開されていない場所では、タイプ１のコアネットワークに接続可能な端末であると管理されていてもよい。
【００４４】
こうした管理情報は、例えばＨＳＳ（Home Subscriber Server）やＭＭＥ(Mobility Management Entity)など、コアネットワーク内部の制御装置に加入者情報として記憶されていても良い。さらに、ＵＥ１０においてもこうした管理情報を記憶してもよい。
【００４５】
または、コアネットワークのタイプが割り当てられたＵＥと割り当てられていないＵＥが存在してもよい。コアネットワークのタイプが割り当てられていないＵＥは、デフォルトのコアネットワークに接続されてよい。デフォルトのネットワークは、移動通信事業者等によって予めどのコアネットワークがデフォルトのコアネットワークであるかを管理し、こうした管理情報によって決定されて良い。例えば、メインのコアネットワークであるコアネットワーク（タイプ１）９０をデフォルトのネットワークとしてＰＤＮ接続を確立してもよい。一方、コアネットワークタイプが割り当てられたＵＥは、指定するタイプに対応する専用のコアネットワークに接続し、ＰＤＮ接続を確立してもよい。
【００４６】
更に、各ＵＥのタイプは端末出荷時に設定されていてもよい。また、出荷時に複数のタイプが設定されていて、ユーザまたはＵＥ自身が、通信の目的に応じてタイプを変更してもよい。
【００４７】
またコアネットワーク（タイプ１）９０には、ＭＭＥ(Mobility Management Entity)＿Ａ４０が含まれている。
【００４８】
コアネットワーク（タイプ２）９２も同様に、コアネットワーク（タイプ２）９２には、ＭＭＥ＿Ｂ４２が含まれている。
【００４９】
また、コアネットワークはＰＤＮ（Packet Data Network）に接続されている。ＰＤＮとは、ＵＥ１０に通信サービスを提供するパケットデータサービス網であり、サービス毎に構成しても良い。ＰＤＮには、通信端末が接続されており、ＵＥ１０はＰＤＮに配置された通信端末とユーザデータの送受信を行うことができる。
【００５０】
例えば、図１に示すようにコアネットワーク（タイプ１）９０はＰＤＮ＿Ａ１００に接続し、コアネットワーク（タイプ２）９２はＰＤＮ＿Ｂ１０２に接続してもよい。このように、コアネットワークはそれぞれ異なるＰＤＮに接続されてもよい。
【００５１】
さらに、ＰＤＮ＿Ａ１００と、ＰＤＮ＿Ｂ１０２は、ＵＥの目的に対応するコアネットワーク外のパケットデータネットワークであってよい。例えば、コアネットワーク（タイプ１）９０がメインのコアネットワークである場合、ＰＤＮ＿Ａ１００は、ＩＭＳ（IP Multimedia Subsystem）などであってもよい。更に、コアネットワーク（タイプ２）９２がＭ２Ｍ端末専用のコアネットワークである場合、ＰＤＮ＿Ｂ１０２は、Ｍ２Ｍのサービスネットワークであってもよい。
【００５２】
次に、コアネットワークの構成例を説明する。コアネットワークには、ＨＳＳ（Home Subscriber Server）、ＡＡＡ（Authentication、Authorization、 Accounting）、ＰＣＲＦ（Policy and Charging Rules Function）、ＰＧＷ（Packet Data Network Gateway）、ｅＰＤＧ（enhanced Packet Data Gateway）、ＳＧＷ（Serving Gateway）、ＭＭＥにより構成される。
【００５３】
こうした装置は、コアネットワーク毎にそれぞれ配置されてもよい。または、コアネットワークの多重化は、制御メッセージのトラヒックの分散や、ユーザデータトラヒックの分散を目的としたものであることから、ＨＳＳ、ＡＡＡ、ＰＣＲＦ、などの管理装置は、コアネットワーク毎に配置するのではなく、複数のコアネットワークで共用してもよい。
【００５４】
さらに、コアネットワークの多重化の目的を制御メッセージのトラヒックの分散のみに特化したような場合は、ＰＧＷやＳＧＷなどのユーザデータの転送装置も、コアネットワーク毎に配置するのではなく、複数のコアネットワークで共用してもよい。
【００５５】
なお、本実施形態では、図２に示すように、コアネットワーク（タイプ１）９０は、ＨＳＳ５０、ＡＡＡ５５、ＰＣＲＦ６０、ＰＧＷ＿Ａ３０、ｅＰＤＧ６５、ＳＧＷ＿Ａ３５、ＭＭＥ＿Ａ４０により構成される例を中心に説明する。
【００５６】
さらに、コアネットワーク（タイプ２）９２には、ＨＳＳ５０、ＡＡＡ５５、ＰＣＲＦ６０、ＰＧＷ＿Ｂ３２、ｅＰＤＧ６５、ＳＧＷ＿Ｂ３７、ＭＭＥ＿Ｂ４２により構成される例を中心に説明する。
【００５７】
つまり、ＨＳＳ５０、ＡＡＡ５５、ＰＣＲＦ６０、ｅＰＤＧ６５は各コアネットワークによって共用されている。また、ＭＭＥ、ＰＧＷ、ＳＧＷは各コアネットワークにそれぞれ配置されている例を中心に説明する。
【００５８】
また、各コアネットワークは、複数のアクセスネットワーク（ＬＴＥ  ＡＮ８０、ＷＬＡＮ  ＡＮｂ７５、ＷＬＡＮ  ＡＮａ７０）に接続することができる。
【００５９】
無線アクセスネットワークは、複数の異なるアクセスネットワークに接続して構成してもよいし、いずれか一つのアクセスネットワークに接続した構成であってもよい。さらに、ＵＥ１０は無線アクセスネットワークに無線接続することができる。
【００６０】
さらに、ＷＬＡＮアクセスシステムで接続可能なアクセスネットワークは、ｅＰＤＧ６５を介してコアネットワークへ接続するＷＬＡＮアクセスネットワークｂ（ＷＬＡＮ  ＡＮｂ７５）と、ＰＧＷ（ＰＧＷ＿Ａ３０、ＰＧＷ＿Ｂ３２）とＰＣＲＦ６０とＡＡＡ５５とに接続するＷＬＡＮアクセスネットワークａ（ＷＬＡＮ  ＡＮａ７５）とが構成可能である。
【００６１】
なお、各装置はＥＰＳを利用した移動通信システムにおける従来の装置と同様に構成されるため、詳細な説明は省略する。以下、各装置の簡単な説明をする。
【００６２】
ＰＧＷ＿Ａ３０はＰＤＮ＿Ａ１００とＳＧＷ＿Ａ３５とｅＰＤＧ６５とＷＬＡＮ  ＡＮａ７０と、ＰＣＲＦ６０とＡＡＡ５５とに接続されており、ＰＤＮ＿Ａ１００とコアネットワーク９０のゲートウェイ装置としてユーザデータの転送を行う中継装置である。
【００６３】
ＳＧＷ＿Ａ３５は、ＰＧＷ＿Ａ３０とＭＭＥ＿Ａ４０とＬＴＥ  ＡＮ８０とに接続されており、コアネットワーク（タイプ１）９０とＬＴＥ  ＡＮ８０とのゲートウェイ装置としてユーザデータの転送を行う中継装置である。
【００６４】
ＭＭＥ＿Ａ４０は、ＳＧＷ＿Ａ３５とＬＴＥ  ＡＮ８０とＨＳＳ５０に接続されており、ＬＴＥ  ＡＮ８０を経由してＵＥ１５の位置情報管理と、アクセス制御を行うアクセス制御装置である。また、コアネットワーク（タイプ１）９０には、複数の位置管理装置が含まれて構成されてよい。例えば、ＭＭＥ＿Ａ４０とは異なる位置管理装置としてＭＭＥ＿Ｃが構成されてもよい。ＭＭＥ＿ＣはＭＭＥ＿Ａ４０と同様にＳＧＷ＿Ａ３５とＬＴＥ  ＡＮ８０と、ＨＳＳ５０と接続されてよい。
【００６５】
また、ＭＭＥ＿ＣとＭＭＥ＿Ａ４０とが接続されてもよい。これにより、ＭＭＥ＿ＣとＭＭＥ＿Ａ４０は、ＵＥ１０のコンテキストの送受信を行ってもよい。
【００６６】
ＨＳＳ５０はＭＭＥ＿Ａ４０とＡＡＡ５５とに接続されており、加入者情報の管理を行う管理ノードである。ＨＳＳ５０の加入者情報は、例えばＭＭＥ＿Ａ４０のアクセス制御の際に参照される。
【００６７】
さらに、ＨＳＳ５０は、ＭＭＥ＿Ｂ４２と接続されていてもよい。ＭＭＥ＿Ｂ４２は図１に示すようにコアネットワーク（タイプ１）９０のオーバーレイネットワーク、コアネットワーク（タイプ２）９２に含まれている。
【００６８】
つまりＨＳＳ５０は、ＭＭＥ＿Ｂ４２のようにＨＳＳ５０が含まれるコアネットワークとは異なるコアネットワークに含まれるＭＭＥと接続されていてもよい。更に、ＨＳＳ５０の加入者情報は、ＭＭＥ＿Ｂ４２のアクセス制御の際にも参照される。
【００６９】
ＡＡＡ５５は、ＰＧＷ＿Ａ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御を行う。
【００７０】
ＰＣＲＦ６０は、ＰＧＷ＿Ａ３０と、ＷＬＡＮ  ＡＮａ７５と、ＡＡＡ５５と、ＰＤＮ１００に接続されており、データ配送に対するＱｏＳ管理を行う。例えば、ＵＥ１０とＰＤＮ＿Ａ１００間の通信路のＱｏＳの管理を行う。
【００７１】
ｅＰＤＧ６５は、ＰＧＷ＿Ａ３０と、ＷＬＡＮ  ＡＮｂ７５とに接続されており、コアネットワーク（タイプ１）９０と、ＷＬＡＮ  ＡＮｂ７５とのゲートウェイ装置としてユーザデータの配送を行う。
【００７２】
また、図２（ｂ）に示すように、各無線アクセスネットワークには、ＵＥ１０が実際に接続される装置（例えば、基地局装置やアクセスポイント装置）等が含まれている。接続に用いられる装置は、無線アクセスネットワークに適応した装置が考えられる。
【００７３】
本実施形態においては、ＬＴＥ  ＡＮ８０はｅＮＢ４５を含んで構成される。ｅＮＢ４５はＬＴＥアクセスシステムでＵＥ１０が接続する無線基地局であり、ＬＴＥ  ＡＮ８０には１又は複数の無線基地局が含まれて構成されてよい。
【００７４】
ＷＬＡＮ  ＡＮａ７０はＷＬＡＮ  ＡＰａ７２と、ＧＷ（Gateway）７４とが含まれて構成される。ＷＬＡＮ  ＡＰａ７２はコアネットワーク（タイプ１）９０を運営する事業者に対して信頼性のあるＷＬＡＮアクセスシステムでＵＥ１０が接続する無線基地局であり、ＷＬＡＮ  ＡＮａ７０には１又は複数の無線基地局が含まれて構成されてよい。ＧＷ７４はコアネットワーク（タイプ１）９０とＷＬＡＮ  ＡＮａ７０のゲートウェイ装置である。また、ＷＬＡＮ  ＡＰａ７２とＧＷ７４とは、単一の装置で構成されてもよい。
【００７５】
コアネットワーク（タイプ１）９０を運営する事業者とＷＬＡＮ  ＡＮａ７０を運営する事業者が異なる場合でも、事業者間の契約や規約によりこのような構成での実現が可能となる。
【００７６】
また、ＷＬＡＮ  ＡＮｂ７５はＷＬＡＮ  ＡＰｂ７６を含んで構成される。ＷＬＡＮ  ＡＰｂ７６はコアネットワーク（タイプ１）９０を運営する事業者に対して信頼関係が結ばれていない場合に、ＷＬＡＮアクセスシステムでＵＥ１０が接続する無線基地局であり、ＷＬＡＮ  ＡＮｂ７５には１又は複数の無線基地局が含まれて構成されてよい。
【００７７】
このように、ＷＬＡＮ  ＡＮｂ７５はコアネットワーク（タイプ１）９０に含まれる装置であるｅＰＤＧ６５をゲートウェイとしてコアネットワーク（タイプ１）９０に接続される。ｅＰＤＧ６５は安全性を確保するためのセキュリティー機能を持つ。
【００７８】
次に、コアネットワーク（タイプ２）９２に含まれる各装置を簡単に説明する。
【００７９】
ＰＧＷ＿Ｂ３２はＰＤＮ＿Ｂ１０２とＳＧＷ＿Ｂ３７とｅＰＤＧ６５とＷＬＡＮ  ＡＮａ７０と、ＰＣＲＦ６０とＡＡＡ５５とに接続されており、ＰＤＮ１０２とコアネットワーク９２のゲートウェイ装置としてユーザデータの転送を行う中継装置である。
【００８０】
ＳＧＷ＿Ｂ３７は、ＰＧＷ＿Ｂ３２とＭＭＥ＿Ｂ４２とＬＴＥ  ＡＮ８０とに接続されており、コアネットワーク（タイプ２）９２とＬＴＥ  ＡＮ８０とのゲートウェイ装置としてユーザデータの転送を行う中継装置である。
【００８１】
ＭＭＥ＿Ｂ４２は、ＳＧＷ＿Ｂ３７とＬＴＥ  ＡＮ８０とＨＳＳ５０に接続されており、ＬＴＥ  ＡＮ８０を経由してＵＥ１０の位置情報管理と、アクセス制御を行うアクセス制御装置である。また、コアネットワーク（タイプ２）９２には、複数の位置管理装置が含まれて構成されてよい。例えば、ＭＭＥ＿Ｂ４２とは異なる位置管理装置としてＭＭＥ＿Ｄが構成されてもよい。ＭＭＥ＿ＤはＭＭＥ＿Ｂ４２と同様にＳＧＷ＿Ｂ３７とＬＴＥ  ＡＮ８０と、ＨＳＳ５０と接続されてよい。
【００８２】
また、ＭＭＥ＿ＤとＭＭＥ＿Ｂ４２とが接続されてもよい。これにより、ＭＭＥ＿ＤとＭＭＥ＿Ｂ４２は、ＵＥ１０のコンテキストの送受信を行ってもよい。
【００８３】
ＨＳＳ５０はＭＭＥ＿Ｂ４２とＡＡＡ５５とに接続されており、加入者情報の管理を行う管理ノードである。ＨＳＳ５０の加入者情報は、例えばＭＭＥ＿Ｂ４２のアクセス制御の際に参照される。
【００８４】
ＡＡＡ５５、ＰＣＲＦ６０、ｅＰＤＧ６５については既に説明したとおりであり、説明は省略する。
【００８５】
なお、本明細書において、ＵＥ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００８６】
［１．２．装置の構成］
続いて、各装置構成について図を用いて簡単に説明する。
【００８７】
［１．２．１．ｅＮＢの構成図］
図３（ａ）にｅＮＢ４５の構成図を示す。図に示すように、ｅＮＢ４５は、ＩＰ移動通信ネットワークインターフェース部２２０と制御部２００と記憶部２４０で構成されている。ＩＰ移動通信ネットワークインターフェース部２２０と記憶部２４０は、制御部２００とバスを介して接続されている。
【００８８】
制御部２００は、ｅＮＢ４５を制御するための機能部である。制御部２００は、記憶部２４０に記憶されている各種プログラムを読みだして実行することにより各種処理を実現する。
【００８９】
ＩＰ移動通信ネットワークインターフェース部２２０は、ｅＮＢ４５がＵＥ１０およびＵＥ＿Ｂ１５と接続し、コアネットワーク（タイプ１）９０、コアネットワーク（タイプ２）９２と接続するための機能部である。
【００９０】
記憶部２４０は、ＭＭＥ情報２４２が記憶されている。ＭＭＥ情報２４２には、ｅＮＢ４５から接続可能なＭＭＥを記憶する。例えば、図３（ｂ）に示すように、ｅＮＢ４５から接続可能なＭＭＥの識別情報と、各ＭＭＥのサービスエリアを識別するエリア情報を関連付けて記憶しても良い。図３（ｂ）の例では、サービスエリアごとに異なるＭＭＥを記憶しており、各サービスエリアに配置された基地局装置は、サービスエリアに対応づけられているＭＭＥに接続可能であることを示している。なお、同一サービスエリアに対して異なるタイプのコアネットワークに含まれるＭＭＥを記憶してもよい。例えば、サービスエリア「Ａ」に対応づけて、タイプ１のコアネットワークに設置されるＭＭＥと、タイプ２のコアネットワークに設置されるＭＭＥとを記憶しても良い。
【００９１】
ここで、ＭＭＥ識別情報はＭＭＥを識別できる情報であればよく、例えば、ＧＵＭＭＥＩ（Globally Unique MME Identifier）であってもよい。ＧＵＭＭＥＩとは、ＭＭＥの識別情報であり、移動通信事業者網の識別情報であるＰＬＭＮ(Public land mobile network)と、複数のＭＭＥを識別するＭＭＥのグループ番号と、ＭＭＥを識別するＭＭＥの番号が含まれている。
【００９２】
なお、ＭＭＥのグループ番号は、ＭＭＥＧＩ（MME Group Identifier）であってよい。なお、コアネットワークのタイプ毎に異なるＭＭＥＧＩを記憶しても良い。その場合、ＭＭＥのグループ番号によってコアネットワークを識別することができる。さらに、ＭＭＥのグループ番号に対応づけて、対応するコアネットワーク配置されたＭＭＥをグループとして管理してもよい。これにより、ＭＭＥの識別情報とＭＭＥのグループ番号を基に、ＭＭＥが含まれるコアネットワークのタイプを識別してもよい。
【００９３】
または、ＭＭＥの識別情報から独立した情報要素で、コアネットワークのタイプ情報を示してもよい。例えば、ＭＭＥ情報２４２は、図３（ｃ）のように、コアネットワークの識別情報であるタイプ情報と、エリア情報と、ＭＭＥの識別情報とを関連づけて記憶してもよい。これにより、コアネットワークのタイプに応じてエリアを構成することができる。さらに、各エリアに配置されるＭＭＥを記憶することができる。さらには、コアネットワークのタイプ毎にＭＭＥを記憶することができる。さらに、特定のコアネットワークの特定のエリアに配置されるＭＭＥを記憶することができる。
【００９４】
なお、既に説明したとおり、ＭＭＥの識別情報は、ＧＵＭＭＥＩあってもよい。
【００９５】
また、これらのＭＭＥの識別情報の管理方法では、必ずしもエリア情報を記憶せず、コアネットワークタイプとＭＭＥの識別情報を対応づけて記憶してもよい。
【００９６】
なお、これまで説明したエリア情報は、トラッキングエリア情報であってもよいし、ルーティングエリア情報であってもよい。
【００９７】
また、ｅＮＢ４５は、ＵＥ１０がアタッチしている状態で、さらにＵＥ１０に無線リソースが割り当てられたアクティブ状態（Connected state）の場合、ＵＥコンテキスト情報を記憶してもよい。なお、ＵＥコンテキスト情報には、ＵＥ１０の識別情報を記憶してもよい。ここでＵＥ１０の識別情報は、ＵＥ１０に対してグローバルユニークに割り当てられたＧＵＴＩ（Globally Unique Temporary Identity）を用いても良い。もしくは、ＩＭＧＩ（International Mobile Subscriber Identity）などの加入者情報であってもよい。もしくは、Ｐ−ＴＭＳＩ（Packet Temporary Mobile Subscriber Identity）などの識別情報であってもよい。もしくはこれらの識別情報を2つ以上組み合わせてＵＥ１０の識別情報としてもよい。
【００９８】
［１．２．２．ＭＭＥの構成図］
次に、ＭＭＥ＿Ａ４０の構成を説明する。なお、ＭＭＥ＿Ｂ４２の構成も同様であるため、具体的な説明は省略する。
【００９９】
図４（ａ）にＭＭＥ＿Ａ４０の構成図を示す。図に示すように、ＭＭＥ＿Ａ４０は、ＩＰ移動通信ネットワークインターフェース部３２０と制御部３００と記憶部３４０で構成されている。ＩＰ移動通信ネットワークインターフェース部３２０と記憶部３４０は制御部３００と、バスを介して接続されている。
【０１００】
制御部３００はＭＭＥ＿Ａ４０を制御するための機能部である。制御部３００は、記憶部３４０に記憶されている各種プログラムを読みだして実行することにより各種処理を実現する。
【０１０１】
ＩＰ移動通信ネットワークインターフェース部３２０は、ＭＭＥ＿Ａ４０が、ｅＮＢ４５や、ＳＧＷ＿Ａ３５や、ＨＳＳ５０と接続するための機能部である。
【０１０２】
記憶部３４０は、図に示すように、ＭＭＥ情報３４２とコンテキスト情報３４４が記憶されている。
【０１０３】
ＭＭＥ情報３４２には、図４（ｂ）に示すように、ＭＭＥ識別情報と、ＭＭＥのサービスエリア情報と、コアネットワークの識別情報とを対応づけて記憶してもよい。
【０１０４】
ここで、ＭＭＥ識別情報はＭＭＥを識別できる情報であればよく、例えば、ＧＵＭＭＥＩ（Globally Unique MME Identifier）であってもよい。ＧＵＭＭＥＩとは、ＭＭＥの識別情報であり、移動通信事業者網の識別情報であるＰＬＭＮ(Public land mobile network)と、複数のＭＭＥを識別するＭＭＥのグループ番号と、ＭＭＥを識別するＭＭＥの番号が含まれている。
【０１０５】
なお、ＭＭＥのグループ番号はＭＭＥＧＩ（MME Group Identifier）であってよい。なお、コアネットワークのタイプ毎に異なるＭＭＥＧＩを記憶しても良い。その場合、ＭＭＥのグループ番号によってコアネットワークを識別することができる。さらに、ＭＭＥのグループ番号に対応づけて、対応するコアネットワーク配置されたＭＭＥをグループとして管理してもよい。これにより、ＭＭＥの識別情報とＭＭＥのグループ番号を基に、ＭＭＥが含まれるコアネットワークのタイプを識別してもよい。
【０１０６】
この場合、ＭＭＥ情報３４２には、ＭＭＥの識別情報と、サービスエリア情報とを対応づけて記憶すればよく、コアネットワークのタイプ情報は必ずしも記憶しなくてもよい。
【０１０７】
また、これらのＭＭＥの識別情報の管理方法は、必ずしもエリア情報を記憶せず、コアネットワークタイプとＭＭＥの識別情報を対応づけて記憶してもよい。
【０１０８】
なお、これまで説明したエリア情報は、トラッキングエリア情報であってもよいし、ルーティングエリア情報であってもよい。
【０１０９】
また、コンテキスト情報３４４は、図４（ｃ）に示すように、ＭＭＥに記憶されるＵＥに関する情報をＵＥごとに記憶している。ＵＥのコンテキスト情報とは、ＭＭＥが従来記憶するＭＭ（Mobility Management）コンテキストや、ＥＰＳ(Evolved Packet System)ベアラコンテキスト、または両方であってもよい。
【０１１０】
なお、タイプ情報などのコアネットワークを識別する情報は、移動通信事業者による運用、管理の観点からコアネットワークを分けることを決定し、こうした決定に基づいて割り当てられた識別情報であってもよい。
【０１１１】
もしくは、タイプ情報などのコアネットワークを識別する情報は、通信端末の種別や属性に対応づけられた情報であってもよい。例えば、Ｍ２Ｍ端末の接続するコアネットワークを識別する識別情報と、スマートフォンなどの一般通話端末の接続するコアネットワークを識別する識別情報などであってもよい。
【０１１２】
また、タイプ情報などのコアネットワークを識別する情報は、移動通信事業者が提供するサービスに対応づけられた識別情報であってもよい。たとえば、Ｍ２Ｍ端末に提供する特定サービスを識別する情報と、ＩＭＳ等の通話サービスを提供する識別情報などとコアネットワークを識別する情報とを対応づけてもよい。この場合、サービス毎にコアネットワークを分離して構成することができる。なお、サービス毎に、サービスを提供する端末を管理することにより、各サービスを提供する端末毎に接続するコアネットワークを分けることができる。
【０１１３】
また、コンテキスト情報３４４には、ＵＥの識別情報を記憶しても良い。ここでＵＥ１０の識別情報は、ＵＥ１０に対してグローバルユニークに割り当てられたＧＵＴＩ（Globally Unique Temporary Identity）を用いても良い。もしくは、ＩＭＧＩ（International Mobile Subscriber Identity）などの加入者情報であってもよい。もしくは、Ｐ−ＴＭＳＩ（Packet Temporary Mobile Subscriber Identity）などの識別情報であってもよい。もしくはこれらの識別情報を２つ以上組み合わせてＵＥ１０の識別情報としてもよい。
【０１１４】
なお、ＭＭＥ＿Ａ４０はＵＥ１０がアタッチしている場合、コンテキスト情報を記憶してもよい。つまり、アタッチによってコンテキスト情報を生成してもよい。
【０１１５】
［１．３．処理の説明］
次に、コアネットワークを変更するための手続きを説明する。
【０１１６】
［１．３．１  第１手続き例］
まず、ＵＥ１０が接続するコアネットワークを変更するための第１手続き例を説明する。手続きの初期状態において、ＵＥ１０はコアネットワーク（タイプ１）９０に接続している。より具体的には、ＵＥ１０はｅＮＢ４５に接続している。さらに、ＵＥ１０はｅＮＢ４５を介してＭＭＥ＿Ａ４０に接続している。さらに、ＵＥ１０は、ＰＧＷ＿Ａ３０との間にＰＤＮコネクションを確立している。ここで、ＰＤＮコネクションとはユーザデータを配送するための通信路のことである。
【０１１７】
なお、コアネットワーク（タイプ１）９０と、コアネットワーク（タイプ２）９２にはそれぞれ異なるＰＧＷが配置されていてもよい。例えば、コアネットワーク（タイプ１）９０にはＰＧＷ＿Ａ３０が含まれて構成され、コアネットワーク（タイプ２）９２にはＰＧＷ＿Ｂ３２が含まれて構成されていてもよい。
【０１１８】
さらに、コアネットワーク（タイプ１）９０と、コアネットワーク（タイプ２）９２にはそれぞれ異なるＳＧＷが配置されていてもよい。例えば、コアネットワーク（タイプ１）９０にはＳＧＷ＿Ａ３５が含まれて構成され、コアネットワーク（タイプ２）９２にはＳＧＷ＿Ｂ３７が含まれて構成されていてもよい。
【０１１９】
第１手続き例を説明するにあたり、初期状態において、ＵＥ１０はＰＧＷ＿Ａ３０との間にＰＤＮコネクションを確立している。さらに、ＵＥ１０とＰＧＷ＿Ａ３０とのＰＤＮコネクションは、ＳＧＷ＿Ａ３５を介して確立している。
【０１２０】
なお、第１手続き例において、ＵＥ１０の識別情報とは、ＵＥ１０に対してグローバルユニークに割り当てられたＧＵＴＩ（Globally Unique Temporary Identity）を用いても良い。もしくは、ＩＭＧＩ（International Mobile Subscriber Identity）などの加入者情報であってもよい。もしくは、Ｐ−ＴＭＳＩ（Packet Temporary Mobile Subscriber Identity）などの識別情報であってもよい。もしくはこれらの識別情報を2つ以上組み合わせてＵＥ１０の識別情報としてもよい。
【０１２１】
また、第１手続き例において、ＭＭＥの識別情報とは、個々のＭＭＥに対応するＧＵＭＭＥＩ（Globally Unique MME Identifier）であっても良い。なお、ＧＵＭＭＥＩは、ＰＬＭＮや、ＭＭＥグループや、ＭＭＥ番号などの情報を含んで構成されたグローバルユニークな識別情報である。もしくは、ＭＭＥの識別情報は、ＭＭＥグループを識別するＭＭＥＧＩ（MME Group Identifier）であってもよい。
【０１２２】
なお、ｅＮＢ４５は、ＭＭＥＧＩと、ＭＭＥＧＩで識別されるＭＭＥグループに属するＧＵＭＭＥＩとを対応づけて予め保持しており、ＭＭＥＧＩを受信した場合、受信したＭＭＥＧＩを基に、ＭＭＥＧＩに属するＧＵＭＭＥＩを選択することができる。
【０１２３】
例えば、ｅＮＢ４５は、コアネットワーク（タイプ２）に属するＭＭＥをグループとするＭＭＥＧＩと、ＭＭＥ＿Ｂ４２などのグループに属するＭＭＥのＧＵＭＭＥＩを予め対応づけてＭＭＥ情報に記憶しておいてよい。
【０１２４】
以下、第１手続き例の具体的なステップを、図５を用いて説明する。
【０１２５】
まず、ＭＭＥ＿Ａ４０は、ＵＥ１０の接続するコアネットワークの変更する手続きを開始するトリガーを検出する（Ｓ５０２）。
【０１２６】
ＭＭＥ＿Ａ４０は、加入者情報の更新に基づいてトリガーを検出してもよい。より具体的には、ＨＳＳ５０に記憶されているＵＥ１０に対応する加入者情報の変更に基づいて、ＨＳＳ５０は変更されたことを示す識別情報を含んだ制御メッセージをＭＭＥ＿Ａ４０に送信する。ＭＭＥ＿Ａ４０は、ＨＳＳ５０が送信する制御メッセージの受信、または、制御メッセージに含まれる識別情報に基づいて、ＵＥ１０の接続するコアネットワークの変更が必要であることを検出してもよい。
【０１２７】
また、制御メッセージに含まれる識別情報は、コアネットワークタイプ２を示すコアネットワークの情報であってもよいし、コアネットワークタイプの変更を要求することを示すフラグ等の情報であってもよい。また、制御メッセージは、コアネットワークの切り替えを要求するための制御メッセージであってもよい。また、制御メッセージには、ＵＥ１０の識別情報が含まれても良い。
【０１２８】
ｅＮＢ４５は、コアネットワーク（タイプ２）に属するＭＭＥをグループとするＭＭＥＧＩを受信してＭＭＥ選択処理してもよい。なお、ｅＮＢ４５は、受信したＭＭＥＧＩに基づいてＭＭＥ＿Ｂ４２を選択してもよい。
【０１２９】
また、ＭＭＥ＿Ａ４０は、コアネットワーク（タイプ２）９２が構成されたことに基づいてトリガーを検出してもよい。より具体的には、ＭＭＥ＿Ｂ４２もしくはＰＧＷ＿Ｂ３２などのコアネットワーク（タイプ２）９２に含まれる制御装置が設置されたことに伴って開始されてもよい。なお、コアネットワーク運用者がこうした制御装置を設置し、設置に基づいてＭＭＥ＿Ａ４０を手動操作してもよい。ＭＭＥ＿Ａ４０はこうした運用者の手動操作を基にトリガーを検出してもよい。
【０１３０】
次に、ＭＭＥ＿Ａ４０はトリガー検出に基づいてデタッチ要求メッセージをＵＥ１０に送信する（Ｓ５０４）。
【０１３１】
ここで、ＭＭＥ＿Ａ４０は、デタッチ要求メッセージに少なくとも第１の指示情報（Ｉｎｄｉｃａｔｏｒ１）を含めて送信してもよい。
【０１３２】
なお、第１の指示情報は、コアネットワークを切り替えることを要求または指示する情報であってよい。
【０１３３】
もしくは、第１の指示情報は、コアネットワークタイプであってよい。なお、コアネットワークタイプは、コアネットワーク（タイプ２）を識別する情報であってもよい。具体的には、コアネットワーク（タイプ２）９２を識別するＮＲＩ（Network Resource Identifiers）であってもよい。
【０１３４】
もしくは、第１の指示情報は、コアネットワークタイプを切り替えることを示す情報であってもよい。より具体的には、コアネットワークタイプを切り替えることを示す情報は、コアネットワークの切り替えが必要であることを示す理由表示情報要素（Ｃａｕｓｅ  Ｖａｌｕｅ）であっても良い。
【０１３５】
もしくは、第１の指示情報は、ＵＥ１０に再アタッチが必要であることを示す情報であってもよい。より具体的には、ＵＥ１０に再アタッチが必要であることを示す情報は、Ａｔｔａｃｈ  Ｒｅｑｕｉｒｅｄを示す理由表示情報要素（Ｃａｕｓｅ  Ｖａｌｕｅ）であっても良い。
【０１３６】
もしくは、第１の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０１３７】
もしくは、第１の指示情報は、これまで説明した、コアネットワークを切り替えることを要求または指示する情報と、コアネットワークタイプと、コアネットワークタイプを切り替えることを示す情報と、再アタッチが必要であることを示す情報と、ＭＭＥの識別情報を２つ以上組み合わせた情報であっても良い。また、このように２つ以上組み合わせた第１の指示情報が、コアネットワークタイプ、もしくはコアネットワークタイプを切り替えることを示す情報、もしくは再アタッチが必要であることを示す情報、もしくはＭＭＥの識別情報として利用されても良い。
【０１３８】
さらに、ＭＭＥ＿Ａ４０は、デタッチ要求メッセージの送信と並行して、もしくはデタッチ要求メッセージの送信後、ＵＥコンテキスト解放メッセージをｅＮＢ４５に送信してもよい（Ｓ５０６）。ＭＭＥ＿Ａ４０は、ＵＥコンテキスト解放メッセージにより、ＵＥ１０とｅＮＢ４５との間に無線リソースが割り当てられている場合、その無線リソースを解放することを要求してもよい。
【０１３９】
ここで、ＭＭＥ＿Ａ４０は、少なくとも第２の指示情報（Ｉｎｄｉｃａｔｏｒ２）を含めてＵＥコンテキスト解放メッセージを送信してもよい。
【０１４０】
第２の指示情報は、コアネットワークを切り替えることを要求または指示する情報であってよい。
【０１４１】
もしくは、第２の指示情報は、コアネットワークタイプであってよい。なお、コアネットワークタイプは、コアネットワーク（タイプ２）を識別する情報であってもよい。具体的には、コアネットワーク（タイプ２）９２を識別するＮＲＩ（Network Resource Identifiers）であってもよい。
【０１４２】
もしくは、第２の指示情報は、コアネットワークタイプを切り替えることを示す情報であってもよい。より具体的には、コアネットワークタイプを切り替えることを示す情報は、コアネットワークの切り替えが必要であることを示す理由表示情報要素（Ｃａｕｓｅ  Ｖａｌｕｅ）であっても良い。
【０１４３】
もしくは、第２の指示情報は、ＵＥ１０に再アタッチが必要であることを示す情報であってもよい。より具体的には、ＵＥ１０に再アタッチが必要であることを示す情報は、Ａｔｔａｃｈ  Ｒｅｑｕｉｒｅｄを示す理由表示情報要素（Ｃａｕｓｅ  Ｖａｌｕｅ）であっても良い。
【０１４４】
もしくは、第２の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０１４５】
もしくは、第２の指示情報は、これまで説明した、コアネットワークを切り替えることを要求または指示する情報と、コアネットワークタイプと、コアネットワークタイプを切り替えることを示す情報と、再アタッチが必要であることを示す情報と、ＭＭＥの識別情報を２つ以上組み合わせた情報であっても良い。また、このように２つ以上組み合わせた第２の指示情報が、コアネットワークタイプ、もしくはコアネットワークタイプを切り替えることを示す情報、もしくは再アタッチが必要であることを示す情報、もしくはＭＭＥの識別情報として利用されても良い。
【０１４６】
また、ＭＭＥ＿Ａ４０は、少なくともＵＥ１０の識別情報と、タイマー値を含めて送信ＵＥコンテキスト解放メッセージを送信してもよい。なお、タイマー値は、ｅＮＢ４５がＭＭＥの選択のために用いるタイマーの値であってよい。
【０１４７】
次に、ｅＮＢ４５はＵＥコンテキスト解放メッセージをＭＭＥ_Ａ４０から受信する。ｅＮＢ４５は、ＵＥコンテキスト解放メッセージに含まれる情報を基に、ＭＭＥ情報更新処理を実行しても良い（Ｓ５０８）。より具体的には、第２の指示情報に基づいて、ＭＭＥ情報更新処理を実行してもよい。
【０１４８】
なお、ＭＭＥ情報更新処理は、ＵＥ１０が送信するアタッチ要求メッセージの受信に伴って実行するＭＭＥ選択において、ｅＮＢ４５がコアネットワーク（タイプ２）９２に含まれるＭＭＥを選択するようＭＭＥ情報を更新する処理であってよい。
【０１４９】
より具体的には、ｅＮＢ４５は、ＭＭＥ情報更新処理において、ＵＥ１０の識別情報と、第２の指示情報とを対応づけて記憶してもよい。
【０１５０】
また、ｅＮＢ４５は、第２の指示情報の取得により、ＵＥコンテキスト情報を削除せずに保持し続けても良い。一方で、ｅＮＢ４５は、第２の指示情報を取得しなかった場合には、ＵＥコンテキスト情報を削除してもよい。
【０１５１】
また、ｅＮＢ４５は、第２の指示情報に基づいて、タイマーのカウントを開始してもよい。ｅＮＢ４５は、タイマーが実行されている間は、更新したＭＭＥ情報もしくはＵＥコンテキストを保持し続けてもよい。さらに、タイマーが消費された場合、もしくは何等かの要因によりタイマーを停止した場合には、ｅＮＢ４５は更新したＭＭＥ情報もしくはＵＥコンテキストを削除してもよい。
【０１５２】
ここで、タイマーの値は、予めｅＮＢ４５が保持する値を用いても良いし、ＵＥコンテキストの解放メッセージに含まれたタイマー値を用いてもよい。
【０１５３】
なお、ｅＮＢ４５は、ＭＭＥ情報更新処理を行う前に保持していたＭＭＥの情報は保持し続けても良い。例えば、コアネットワーク（タイプ１）９０に含まれるＭＭＥ＿Ａ４０に対応するＧＵＭＭＥＩや、ＭＭＥ＿Ａ４０の属するＭＭＥのグループを示すＭＭＥＧＩなどは保持しし続けても良い。以上により、ＭＭＥ情報更新処理を完了する。
【０１５４】
ｅＮＢ４５は、ＵＥコンテキスト解放メッセージの受信、またはＭＭＥ情報更新処理の完了に基づいて、ＲＲＣコネクション解放メッセージをＵＥ１０に送信してもよい（Ｓ５１０）。ｅＮＢ４５は、ＵＥコンテキスト解放メッセージの送信に基づいて、ＵＥ１０に割り当てた無線リソースを解放してもよい。
【０１５５】
もしくは、ｅＮＢ４５は、ＵＥコンテキスト解放メッセージに、Ａｃｋｎｏｗｌｅｄｇｅ  ｍｏｄｅを１とするなど、応答を必要とする情報含めて送信してもよい。この場合、ＵＥ１０はＵＥコンテキスト解放メッセージの応答として、ＵＥコンテキスト解放メッセージの応答をｅＮＢ４５に送信する。ｅＮＢ４５は、応答メッセージの受信に基づいて、ＵＥ１０に割り当てた無線リソースを解放してもよい。
【０１５６】
なお、ｅＮＢ４５は、ＵＥコンテキスト解放メッセージの送信や、応答メッセージの受信した際に、タイマー実行中である場合は、ＵＥ１０の識別情報などを含むＵＥ１０コンテキストを保持し続けても良い。もしくは、ｅＮＢ４５は、ＵＥコンテキストは削除するが、タイマー実行中は、ＵＥ１０の識別情報と第２の指示情報とを対応づけて記憶しておいてもよい。
【０１５７】
なお、ＲＲＣコネクション解放メッセージには、少なくとも第３の指示情報（Ｉｎｄｉｃａｔｏｒ３）を含めて送信してもよい。
【０１５８】
第３の指示情報は、コアネットワークを切り替えることを要求または指示する情報であってよい。
【０１５９】
もしくは、第３の指示情報は、ＵＥ１０に再アタッチを要求または指示することを示す識別情報であってもよい。具体的には、再アタッチを要求する識別情報は、Ａｔｔａｃｈ  Ｒｅｑｕｅｉｒｅｄとする理由表示情報要素（Ｃａｕｓｅ  Ｖａｌｕｅ）であってよい。
【０１６０】
もしくは、第３の指示情報は、ＵＥ１０にトラッキングエリア更新手続きが必要であることを示す識別情報であってもよい。具体的には、トラッキングエリア更新手続きが必要であることを示す識別情報は、ＴＡＵ  Ｒｅｑｕｉｒｅとする理由表示情報要素（Ｃａｕｓｅ  Ｖａｌｕｅ）であってよい。
【０１６１】
もしくは、第３の指示情報は、コアネットワークの切り替えが必要であることを示す識別情報であってもよい。具体的には、コアネットワークの切り替えが必要であることを示す識別情報は、コアネットワーク（タイプ２）９２を識別するコアネットワークタイプであっても良い。また、コアネットワーク（タイプ２）９２を識別するＮＲＩ（Network Resource Identifiers）であってもよい。もしくは、ＮＵＬＬ−ＭＭＥＧＩや、ＮＵＬＬ−ＮＲＩなど、ゼロなどの特定の値のＭＭＥＧＩやＮＲＩを用いて、特定のＭＭＥＧＩやＮＲＩを示さない情報であってもよい。
【０１６２】
もしくは、第３の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０１６３】
もしくは、第３の指示情報は、これまで説明した、コアネットワークを切り替えることを要求または指示する情報と、ＵＥ１０に再アタッチを要求することを示す識別情報と、ＵＥ１０にトラッキングエリア更新手続きが必要であることを示す識別情報と、コアネットワークの切り替えが必要であることを示す識別情報と、ＭＭＥの識別情報とを２つ以上組み合わせた情報であっても良い。また、このように２つ以上組み合わされた第３の指示情報が、ＵＥ１０に再アタッチを要求することを示す識別情報、もしくはＵＥ１０にトラッキングエリア更新手続きが必要であることを示す識別情報、もしくはコアネットワークの切り替えが必要であることを示す識別情報、もしくはＭＭＥの識別情報として利用されても良い。
【０１６４】
次に、ｅＮＢ４５は、ＵＥコンテキスト解放メッセージに対する応答として、コンテキストリリース完了メッセージをＭＭＥ＿Ａ４０に送信する（Ｓ５１２）。コンテキストリリース完了メッセージは、ＵＥコンテキスト解放メッセージに対する応答メッセージであり、ｅＮＢ４５がＵＥ１０の無線リソースの解放や、ＵＥのコンテキストの削除などをした場合には、コンテキストリリース完了メッセージはこれらの処理が完了したことを通知するメッセージとなる。
【０１６５】
また、ｅＮＢ４５は第２の指示情報の取得に基づいてＭＭＥ情報更新処理を行い、ＭＭＥ情報更新処理に基づいてＭＭＥ情報等を保持し続ける場合には、ＵＥコンテキストもしくは、コアネットワーク（タイプ２）９２のＭＭＥ情報を保持することを示す情報を含めてＵＥコンテキスト解放完了メッセージを送信してもよい。
【０１６６】
また、ＭＭＥ＿Ａ４０は、ＵＥコンテキスト解放完了メッセージを受信し、ＭＭＥ＿Ａ４０が保持するＵＥコンテキストを削除してもよい。
【０１６７】
また、ＵＥ１０は、デタッチ要求メッセージを受信し、アタッチ手続きを開始してもよい。なお、ＵＥ１０は、第１の指示情報に基づいてアタッチ手続きを開始してもよい。この場合、ＵＥ１０は、必ずしもＲＲＣコネクション解放メッセージを受信していなくてもアタッチ手続きを開始してもよい。
【０１６８】
もしくは、ＵＥ１０は、ＲＲＣコネクション解放メッセージを受信したあとアタッチ手続きを開始してもよい。
【０１６９】
例えば、ＵＥ１０は、第１の指示情報と、ＲＲＣコネクション解放メッセージの受信に基づいてアタッチ手続きを開始してもよい。もしくは、ＵＥ１０は、第３の指示情報に基づいてアタッチ手続きを開始してもよい。もしくは、第１の指示情報と第３の指示情報に基づいてアタッチ手続きを開始してもよい。
【０１７０】
また、ＵＥ１０は、第１の指示情報、第２の指示情報、もしくはその両方の受信をもとに、保持するＭＭＥの情報を削除してもよい。削除するＭＭＥの情報は、ＭＭＥ＿Ａ４０のＧＵＭＭＥＩであってよい。もしくは、削除するＭＭＥの情報は、ＭＭＥ＿Ａ４０の属するグループを示すＭＭＥＧＩであってもよい。このように、第１の指示情報もしくは第２の指示情報は、古いＭＭＥの情報を削除することを示す情報として用いられても良い。
【０１７１】
続いてアタッチ手続きについて説明する。ＵＥ１０は、アタッチ要求メッセージをｅＮＢ４５に送信し、アタッチ手続きを開始する（Ｓ５１４）。ＵＥ１０は、アタッチ要求メッセージの送信により、再度コアネットワークへの接続を要求する。なお、ＵＥ１０はアタッチ要求メッセージにＵＥの識別情報を含めて送信してもよい。
【０１７２】
ここで、ＵＥ１０は、少なくとも第４の指示情報（Ｉｎｄｉｃａｔｏｒ４）を含めてアタッチ要求メッセージを送信してもよい。なお、ＵＥ１０は、第１の指示情報、もしくは第３の指示情報、もしくはその両方の指示情報の受信に基づいて、第４の指示情報を含めることを決定しても良い。
【０１７３】
第４の指示情報は、コアネットワークを切り替えることを要求または指示する情報であってよい。
【０１７４】
もしくは、第４の指示情報は、コアネットワークタイプであってよい。なお、コアネットワークタイプは、コアネットワーク（タイプ２）を識別する情報であってもよい。具体的には、また、コアネットワーク（タイプ２）９２を識別するＮＲＩ（Network Resource Identifiers）であってもよい。
【０１７５】
もしくは、第４の指示情報は、コアネットワークの切り替えが必要であることを示す識別情報であってもよい。具体的には、コアネットワークの切り替えが必要であることを示す識別情報は、コアネットワーク（タイプ２）９２を識別するコアネットワークタイプであっても良い。また、コアネットワーク（タイプ２）９２を識別するＮＲＩ（Network Resource Identifiers）であってもよい。もしくは、ＮＵＬＬ−ＭＭＥＧＩや、ＮＵＬＬ−ＮＲＩなど、ゼロなどの特定の値のＭＭＥＧＩやＮＲＩを用いて、特定のＭＭＥＧＩやＮＲＩを示さない情報であってもよい。
【０１７６】
もしくは、第４の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０１７７】
もしくは、第４の指示情報は、これまで説明した、コアネットワークを切り替えることを要求または指示する情報と、コアネットワークタイプと、コアネットワークの切り替えが必要であることを示す識別情報と、ＭＭＥの識別情報を２つ以上組み合わせた情報であっても良い。また、このように２つ以上組み合わせた第２の指示情報が、コアネットワークタイプ、もしくはコアネットワークタイプを切り替えることを示す情報、もしくは再アタッチが必要であることを示す情報、もしくはＭＭＥの識別情報として利用されても良い。
【０１７８】
また、ＵＥ１０は、第４の指示情報を必ずしもアタッチ要求メッセージに含めて送信しなくてもよい。ＵＥ１０は、アタッチ手続き内でＵＥ１０が送信する制御メッセージに含めて送信してもよい。
【０１７９】
ｅＮＢ４５は、アタッチ要求メッセージをＵＥ１０から受信する。ｅＮＢ４５は、アタッチ要求メッセージの受信に基づいてＭＭＥ選択処理を行う（Ｓ５１６）。
【０１８０】
ＭＭＥ選択処理において、ｅＮＢ４５は、ＭＭＥ情報更新処理に基づいて、ＭＭＥ＿Ｂ４２を選択する。
【０１８１】
もしくは、ｅＮＢ４５は、第４の指示情報に基づいて、ＭＭＥ＿Ｂ４２を選択してもよい。このように、第４の指示情報を受信していない場合には、ｅＮＢ４５はＭＭＥ＿Ａ４０を選択してもよい。
【０１８２】
もしくは、ｅＮＢ４５はＭＭＥ情報更新処理と、第４の指示情報の受信とに基づいてＭＭＥ＿Ｂ４２を選択してもよい。このように、ＭＭＥ情報更新処理に基づくＭＭＥ選択結果がＭＭＥ＿Ｂ４２である場合でも、第４の指示情報を受信していない場合には、ｅＮＢ４５はＭＭＥ＿Ａ４０を選択してもよい。また、第４の指示情報を受信している場合でも、ＭＭＥ情報更新処理が実行されていない場合には、ｅＮＢ４５はＭＭＥ＿Ａ４０を選択してもよい。
【０１８３】
このようにｅＮＢ４５は、第２の指示情報、もしくは第４の指示情報、もしくは第２の指示情報と第４の指示情報によって、コアネットワーク（タイプ１）９０に含まれるＭＭＥ＿Ａ４０か、コアネットワーク（タイプ２）９２に含まれるＭＭＥ＿Ｂ４２かのいずれかを選択することができる。
【０１８４】
なお、ｅＮＢ４５は、タイマーの実行中は、コアネットワーク（タイプ２）９２に含まれるＭＭＥを選択し、タイマーを実行していない場合やコアネットワークを切り替える必要が無い場合は、ＵＥ１０が送信する情報を基にコアネットワーク（タイプ１）に含まれるＭＭＥを選択してもよい。
【０１８５】
その場合の選択方法は、ＵＥ１０が送信する情報に基づいて選択してもよい。例えば、ＵＥ１０は、ＧＵＭＭＥＩなどＭＭＥを識別する情報をアタッチ要求メッセージに含めて送信する。ｅＮＢは、受信したＭＭＥが利用可能である場合には、そのＭＭＥを選択してもよい。ここで、ｅＮＢ４５は、ＭＭＥが利用可能であるかどうかを、ＭＭＥに接続性があることによって決定しても良い。本実施形態において、ＵＥ１０が送信する情報は、ＵＥ１０の位置管理を行っていたＭＭＥ_Ａ４０を識別する情報であってよい。
【０１８６】
また、ＵＥ１０から受信したＭＭＥが利用可能ではない場合には、ＵＥ１０はＭＭＥＩなどのＭＭＥのグループの識別情報、もしくはＰ−ＴＭＳＩなどのＵＥ１０の識別情報、もしくはＴＡＩ（Tracking Area ID）やＴＡＣ（Tracking Area Code）などの位置情報、もしくはこれらの2つ以上の任意の情報をアタッチ要求メッセージに含めて送信してもよい。ｅＮＢ４５は、これらの情報を受信し、これらの情報を基にＭＭＥを選択してもよい。
【０１８７】
以上でｅＮＢ４５はＭＭＥ選択処理を完了する。
【０１８８】
なお、ｅＮＢ４５は、ＭＭＥ情報更新処理に基づいてカウントを開始したタイマーに基づいて、ＭＭＥ選択処理を実行するか否かを決定してもよい。例えば、タイマーがカウントされている場合には、ＭＭＥ選択処理を行い、タイマーが既に終了した後や、タイマーをカウントしていない場合には、ＭＭＥ選択処理を実行しなくてもよい。
【０１８９】
更に具体的には、タイマーの実行中の場合には、ｅＮＢ４５は、ＭＭＥ＿Ｂ４２を選択し、タイマーを実行していない場合には、ＭＭＥ＿Ａ４０を選択してもよい。なお、タイマーを実行していない場合は、アタッチ要求に含まれるＭＭＥの識別情報に基づいてＭＭＥの選択を実行してもよい。例えば、アタッチ要求メッセージに含まれるＧＵＭＭＥＩで識別されるＭＭＥを選択してもよいし、アタッチ要求メッセージに含まれるＭＭＥＧＩを基にＭＭＥを選択してもよいし、デフォルトのＭＭＥを選択してもよい。なお、この場合、ｅＮＢ４５は、ＭＭＥ＿Ａ４０を選択してもよい。
【０１９０】
なお、ｅＮＢ４５は、ＵＥ１０が送信するアタッチ要求メッセージを受信した際、タイマーを停止してもよい。
【０１９１】
さらに、ｅＮＢ４５は、ＭＭＥ情報更新処理を実行していない端末装置がアタッチ要求メッセージを送信した場合、アタッチ要求に含まれるＭＭＥの識別情報に基づいてＭＭＥの選択を実行してもよい。例えば、アタッチ要求メッセージに含まれるＧＵＭＭＥＩで識別されるＭＭＥを選択してもよいし、アタッチ要求メッセージに含まれるＭＭＥＧＩを基にＭＭＥを選択してもよいし、アタッチ要求メッセージに含まれるＭＭＥＧＩを基にＭＭＥを選択してもよいし、デフォルトのＭＭＥを選択してもよい。なお、この場合、ｅＮＢ４５は、ＭＭＥ＿Ａ４０を選択してもよい。
【０１９２】
次に、ｅＮＢ４５はＭＭＥ＿Ｂ４２を選択した場合、ｅＮＢ４５は、アタッチ要求メッセージをＭＭＥ＿Ｂ４２に送信する（Ｓ５１８）。なお、アタッチ要求メッセージの送信後のアタッチ手続きは、従来のアタッチ手続きと同様の制御メッセージの送受信および処理であってよい。そのため、詳細な説明は省略する。
【０１９３】
また、ｅＮＢ４５はＭＭＥ＿Ａ４０を選択した場合、ＭＭＥ＿Ａ４０にアタッチ要求メッセージを送信してもよい。さらに、ｅＮＢ４５はＭＭＥ＿Ａ４０からルート再設定要求を受信してもよい。さらに、ｅＮＢ４５は、ルート再設定要求に基づいて、ＭＭＥ＿Ｂ４２を選択し、ＭＭＥ＿Ｂ４２にアタッチ要求メッセージを送信しても良い。なお、アタッチ要求メッセージの送信後のアタッチ手続きは、従来のアタッチ手続きと同様の制御メッセージの送受信および処理であってよい。そのため、詳細な説明は省略する。
【０１９４】
このように、ｅＮＢ４５はＭＭＥ選択処理によりＭＭＥ＿Ｂ４２を選択した場合、リルート再設定要求を受信することなくアタッチ手続きを実行することができるなど、制御メッセージの送受信や処理を軽減することができる。
【０１９５】
なお、ＭＭＥ＿Ｂ４２は、アタッチ要求メッセージをｅＮＢ４５から受信し、ＳＧＷおよびＰＧＷを選択する。ここで、ＭＭＥ＿Ｂ４２は、コアネットワーク（タイプ２）９２にはＳＧＷ＿Ｂ３７とＰＧＷ＿Ｂ３２を選択して、ＵＥ１０とＰＧＷ＿Ｂ３２との間にＰＤＮコネクションを確立してもよい。
【０１９６】
また、アタッチ手続きにより、ＵＥ１０はＰＧＷ＿Ｂ３２との間にＰＤＮコネクションを確立する。さらに、ＵＥ１０とＰＧＷ＿Ｂ３２とのＰＤＮコネクションは、ＳＧＷ＿Ｂ３７を介して確立している。さらに、ＵＥ１０は、確立したＰＤＮコネクションを用いてＰＤＮ＿Ｂ１０２に含まれる通信装置とユーザデータの送受信を実行することができる。
【０１９７】
なお、本手続きにおいて、コアネットワーク（タイプ１）９０とコアネットワーク（タイプ２）９２はそれぞれＰＤＮ＿Ａ１００とＰＤＮ＿Ｂ１０２に接続されると説明したが、図６に示すように、ＰＤＮ＿Ａ１００とＰＤＮ＿Ｂ１０２は同じネットワーク（ＰＤＮ１００）であっても良い。この場合、ＰＧＷ＿Ａ３０とＰＧＷ＿Ｂ３２は同一装置（ＰＧＷ＿Ａ３０）であってよい。
【０１９８】
つまり、本手続きにより、ＵＥ１０は、移動制御を行うＭＭＥをＭＭＥ＿Ａ４０からＭＭＥ＿Ｂ４２に変更する。さらに、ＰＤＮコネクションの端点となるＰＧＷは変更することなく新たなＰＤＮコネクションを確立してもよい。また、本手続きで説明したアタッチ手続きにおいて、ＭＭＥ＿Ｂ４２は、ＵＥ１０が以前確立していたＰＤＮコネクションの端点となるＰＧＷ＿Ａ３０を選択してもよい。これにより、ＵＥ１０はＰＧＷ＿Ａ３０との間にＰＤＮコネクションを確立してもよい。
【０１９９】
［１．３．２  第２手続き例］
次に、ＵＥ１０が接続するコアネットワークを変更するための第２手続き例を説明する。手続きの初期状態は、第１手続き例で説明した初期状態と同様であってよい。
【０２００】
初期状態において、ＵＥ１０はコアネットワーク（タイプ１）９０に接続している。より具体的には、ＵＥ１０はｅＮＢ４５に接続している。さらに、ＵＥ１０はｅＮＢ４５を介してＭＭＥ＿Ａ４０に接続している。さらに、ＵＥ１０は、ＰＧＷ＿Ａ３０との間にＰＤＮコネクションを確立している。ここで、ＰＤＮコネクションとはユーザデータを配送するための通信路のことである。
【０２０１】
なお、コアネットワーク（タイプ１）９０と、コアネットワーク（タイプ２）９２にはそれぞれ異なるＰＧＷが配置されていてもよい。例えば、コアネットワーク（タイプ１）９０にはＰＧＷ＿Ａ３０が含まれて構成され、コアネットワーク（タイプ２）９２にはＰＧＷ＿Ｂ３２が含まれて構成されていてもよい。
【０２０２】
さらに、コアネットワーク（タイプ１）９０と、コアネットワーク（タイプ２）９２にはそれぞれ異なるＳＧＷが配置されていてもよい。例えば、コアネットワーク（タイプ１）９０にはＳＧＷ＿Ａ３５が含まれて構成され、コアネットワーク（タイプ２）９２にはＳＧＷ＿Ｂ３７が含まれて構成されていてもよい。
【０２０３】
第２手続き例を説明するにあたり、初期状態において、ＵＥ１０はＰＧＷ＿Ａ３０との間にＰＤＮコネクションを確立している。さらに、ＵＥ１０とＰＧＷ＿Ａ３０とのＰＤＮコネクションは、ＳＧＷ＿Ａ３５を介して確立している。
【０２０４】
なお、第２手続き例において、ＵＥ１０の識別情報とは、ＵＥ１０に対してグローバルユニークに割り当てられたＧＵＴＩ（Globally Unique Temporary Identity）を用いても良い。もしくは、ＩＭＧＩ（International Mobile Subscriber Identity）などの加入者情報であってもよい。もしくは、Ｐ−ＴＭＳＩ（Packet Temporary Mobile Subscriber Identity）などの識別情報であってもよい。もしくはこれらの識別情報を2つ以上組み合わせてＵＥ１０の識別情報としてもよい。
【０２０５】
また、第２手続き例において、ＭＭＥの識別情報とは、個々のＭＭＥに対応するＧＵＭＭＥＩ（Globally Unique MME Identifier）であっても良い。なお、ＧＵＭＭＥＩは、ＰＬＭＮや、ＭＭＥグループや、ＭＭＥ番号などの情報を含んで構成されたグローバルユニークな識別情報である。もしくは、ＭＭＥの識別情報は、ＭＭＥグループを識別するＭＭＥＧＩ（MME Group Identifier）であってもよい。
【０２０６】
なお、ｅＮＢ４５は、ＭＭＥＧＩと、ＭＭＥＧＩで識別されるＭＭＥグループに属するＧＵＭＭＥＩとを対応づけて予め保持しており、ＭＭＥＧＩを受信した場合、受信したＭＭＥＧＩを基に、ＭＭＥＧＩに属するＧＵＭＭＥＩを選択することができる。
【０２０７】
例えば、ｅＮＢ４５は、コアネットワーク（タイプ２）に属するＭＭＥをグループとするＭＭＥＧＩと、ＭＭＥ＿Ｂ４２などのＭＭＥＧＩにグループに属するＭＭＥのＧＵＭＭＥＩを予め対応づけてＭＭＥ情報に記憶しておいてよい。
【０２０８】
以下、第２手続き例の具体的なステップを、図７を用いて説明する。
【０２０９】
まず、ＭＭＥ＿Ａ４０は、ＵＥ１０の接続するコアネットワークの変更する手続きを開始するトリガーを検出する（Ｓ７０２）。
【０２１０】
なお、トリガー検出処理は、第１手続き例で説明したトリガー検出処理（Ｓ５０２）と同様の処理であってよい。以下、トリガー検出処理を説明する。
【０２１１】
ＭＭＥ＿Ａ４０は、加入者情報の更新に基づいてトリガーを検出してもよい。より具体的には、ＨＳＳ５０に記憶されているＵＥ１０に対応する加入者情報の変更に基づいて、ＨＳＳ５０は変更されたことを示す識別情報を含んだ制御メッセージをＭＭＥ＿Ａ４０に送信する。ＭＭＥ＿Ａ４０は、ＨＳＳ５０が送信する制御メッセージの受信、または、制御メッセージに含まれる識別情報に基づいて、ＵＥ１０の接続するコアネットワークの変更が必要であることを検出してもよい。
【０２１２】
また、制御メッセージに含まれる識別情報は、コアネットワークタイプ２を示すコアネットワークの情報であってもよいし、コアネットワークタイプの変更を要求することを示すフラグ等の情報であってもよい。また、制御メッセージは、コアネットワークの切り替えを要求するための制御メッセージであってもよい。また、制御メッセージには、ＵＥ１０の識別情報が含まれても良い。
【０２１３】
ｅＮＢ４５は、コアネットワーク（タイプ２）に属するＭＭＥをグループとするＭＭＥＧＩを受信してＭＭＥ選択処理してもよい。なお、ｅＮＢ４５は、受信したＭＭＥＧＩに基づいてＭＭＥ＿Ｂ４２を選択してもよい。
【０２１４】
また、ＭＭＥ＿Ａ４０は、コアネットワーク（タイプ２）９２が構成されたことに基づいてトリガーを検出してもよい。より具体的には、ＭＭＥ＿Ｂ４２もしくはＰＧＷ＿Ｂ３２などのコアネットワーク（タイプ２）９２に含まれる制御装置が設置されたことに伴って開始されてもよい。なお、コアネットワーク運用者がこうした制御装置を設置し、設置に基づいてＭＭＥ＿Ａ４０を手動操作してもよい。ＭＭＥ＿Ａ４０はこうした運用者の手動操作を基にトリガーを検出してもよい。
【０２１５】
次に、ＭＭＥ＿Ａ４０はトリガー検出に基づいて、ＵＥコンテキスト解放メッセージをｅＮＢ４５に送信してもよい（Ｓ７０４）。ＭＭＥ＿Ａ４０は、ＵＥコンテキスト解放メッセージにより、ＵＥ１０とｅＮＢ４５との間に無線リソースが割り当てられている場合、その無線リソースを解放することを要求してもよい。
【０２１６】
ここで、ＭＭＥ＿Ａ４０は、少なくとも第２の指示情報（Ｉｎｄｉｃａｔｏｒ２）を含めてＵＥコンテキスト解放メッセージを送信してもよい。
【０２１７】
第２の指示情報は、コアネットワークを切り替えることを要求または指示する情報であってよい。
【０２１８】
もしくは、第２の指示情報は、コアネットワークタイプであってよい。なお、コアネットワークタイプは、コアネットワーク（タイプ２）を識別する情報であってもよい。具体的には、また、コアネットワーク（タイプ２）９２を識別するＮＲＩ（Network Resource Identifiers）であってもよい。
【０２１９】
もしくは、第２の指示情報は、コアネットワークタイプを切り替えることを示す情報であってもよい。より具体的には、コアネットワークタイプを切り替えることを示す情報は、コアネットワークの切り替えが必要であることを示す理由表示情報要素（Ｃａｕｓｅ  Ｖａｌｕｅ）であっても良い。
【０２２０】
もしくは、第２の指示情報は、ＵＥ１０に再アタッチが必要であることを示す情報であってもよい。より具体的には、ＵＥ１０に再アタッチが必要であることを示す情報は、Ａｔｔａｃｈ  Ｒｅｑｕｉｒｅｄを示す理由表示情報要素（Ｃａｕｓｅ  Ｖａｌｕｅ）であっても良い。
【０２２１】
もしくは、第２の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０２２２】
もしくは、第２の指示情報は、これまで説明した、コアネットワークを切り替えることを要求または指示する情報と、コアネットワークタイプと、コアネットワークタイプを切り替えることを示す情報と、再アタッチが必要であることを示す情報と、ＭＭＥの識別情報を２つ以上組み合わせた情報であっても良い。また、このように２つ以上組み合わせた第２の指示情報が、コアネットワークタイプ、もしくはコアネットワークタイプを切り替えることを示す情報、もしくは再アタッチが必要であることを示す情報、もしくはＭＭＥの識別情報として利用されても良い。
【０２２３】
また、ＭＭＥ＿Ａ４０は、少なくともＵＥ１０の識別情報と、タイマー値を含めて送信ＵＥコンテキスト解放メッセージを送信してもよい。なお、タイマー値は、ｅＮＢ４５がＭＭＥの選択のために用いるタイマーの値であってよい。
【０２２４】
次に、ｅＮＢ４５はＵＥコンテキスト解放メッセージをＭＭＥ＿Ａ４０から受信する。ｅＮＢ４５は、ＵＥコンテキスト解放メッセージに含まれる情報を基に、ＭＭＥ情報更新処理を実行しても良い（Ｓ７０６）。より具体的には、第２の指示情報に基づいて、ＭＭＥ情報更新処理を実行してもよい。
【０２２５】
なお、ＭＭＥ情報更新処理は、ＵＥ１０が送信するトラッキングエリア更新要求メッセージの受信に伴って実行するＭＭＥ選択において、ｅＮＢ４５がコアネットワーク（タイプ２）９２に含まれるＭＭＥを選択するようＭＭＥ情報を更新する処理であってよい。
【０２２６】
より具体的には、ｅＮＢ４５は、ＭＭＥ情報更新処理において、ＵＥ１０の識別情報と、第２の指示情報とを対応づけて記憶してもよい。
【０２２７】
また、ｅＮＢ４５は、第２の指示情報の取得により、ＵＥコンテキスト情報を削除せずに保持し続けても良い。一方で、ｅＮＢ４５は、第２の指示情報を取得しなかった場合には、ＵＥコンテキスト情報を削除してもよい。
【０２２８】
また、ｅＮＢ４５は、第２の指示情報に基づいて、タイマーのカウントを開始してもよい。ｅＮＢ４５は、タイマーが実行されている間は、更新したＭＭＥ情報もしくはＵＥコンテキストを保持し続けてもよい。さらに、タイマーが消費された場合、もしくはなんらかの要因によりタイマーを停止した場合には、ｅＮＢ４５は更新したＭＭＥ情報もしくはＵＥコンテキストを削除してもよい。
【０２２９】
ここで、タイマーの値は、予めｅＮＢ４５が保持する値を用いても良いし、ＵＥコンテキストの解放メッセージに含まれたタイマー値を用いてもよい。
【０２３０】
なお、ｅＮＢ４５は、ＭＭＥ情報更新処理を行う前に保持していたＭＭＥの情報は保持し続けても良い。例えば、コアネットワーク（タイプ１）９０に含まれるＭＭＥ＿Ａ４０に対応するＧＵＭＭＥＩや、ＭＭＥ＿Ａ４０の属するＭＭＥのグループを示すＭＭＥＧＩなどは保持しし続けても良い。
【０２３１】
以上により、ＭＭＥ情報更新処理を完了する。
【０２３２】
ＮＢ４５は、ＵＥコンテキスト解放メッセージの受信、またはＭＭＥ情報更新処理の完了に基づいて、ＲＲＣコネクション解放メッセージをＵＥ１０に送信してもよい（Ｓ７０８）。ｅＮＢ４５は，ＵＥコンテキスト解放メッセージの送信に基づいて、ＵＥ１０に割り当てた無線リソースを解放してもよい。
【０２３３】
もしくは、ｅＮＢ４５は、ＵＥコンテキスト解放メッセージに、Ａｃｋｎｏｗｌｅｄｇｅ  ｍｏｄｅを１とするなど、応答を必要とする情報含めて送信してもよい。この場合、ＵＥ１０はＵＥコンテキスト解放メッセージの応答として、ＵＥコンテキスト解放メッセージの応答をｅＮＢ４５に送信する。ｅＮＢ４５は、応答メッセージの受信に基づいて、ＵＥ１０に割り当てた無線リソースを解放してもよい。
【０２３４】
なお、ｅＮＢ４５は、ＵＥコンテキスト解放メッセージの送信や、応答メッセージの受信した際に、タイマー実行中である場合は、ＵＥ１０の識別情報などを含むＵＥ１０コンテキストを保持し続けても良い。もしくは、ｅＮＢ４５は、ＵＥコンテキストは削除するが、タイマー実行中は、ＵＥ１０の識別情報と第２の指示情報とを対応づけて記憶しておいてもよい。
【０２３５】
なお、ＲＲＣコネクション解放メッセージには、少なくとも第３の指示情報を含めて送信してもよい。
【０２３６】
第３の指示情報は、コアネットワークを切り替えることを要求または指示する情報であってよい。
【０２３７】
もしくは、第３の指示情報は、ＵＥ１０に再アタッチを要求することを示す識別情報であってもよい。具体的には、再アタッチを要求する識別情報は、Ａｔｔａｃｈ  Ｒｅｑｕｅｉｒｅｄとする理由表示情報要素（Ｃａｕｓｅ  Ｖａｌｕｅ）であってよい。
【０２３８】
もしくは、第３の指示情報は、ＵＥ１０にトラッキングエリア更新手続きが必要であることを示す識別情報であってもよい。具体的には、トラッキングエリア更新手続きが必要であることを示す識別情報は、ＴＡＵ Ｒｅｑｕｉｒｅとする理由表示情報要素（Ｃａｕｓｅ  Ｖａｌｕｅ）であってよい。
【０２３９】
もしくは、第３の指示情報は、コアネットワークの切り替えが必要であることを示す識別情報であってもよい。具体的には、コアネットワークの切り替えが必要であることを示す識別情報は、コアネットワーク（タイプ２）９２を識別するコアネットワークタイプであっても良い。また、コアネットワーク（タイプ２）９２を識別するＮＲＩ（Network Resource Identifiers）であってもよい。もしくは、ＮＵＬＬ−ＭＭＥＧＩや、ＮＵＬＬ−ＮＲＩなど、ゼロなどの特定の値のＭＭＥＧＩやＮＲＩを用いて、特定のＭＭＥＧＩやＮＲＩを示さない情報であってもよい。
【０２４０】
もしくは、第３の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０２４１】
もしくは、第３の指示情報は、これまで説明した、コアネットワークを切り替えることを要求または指示する情報と、ＵＥ１０に再アタッチを要求することを示す識別情報と、ＵＥ１０にトラッキングエリア更新手続きが必要であることを示す識別情報と、コアネットワークの切り替えが必要であることを示す識別情報と、ＭＭＥの識別情報とを２つ以上組み合わせた情報であっても良い。また、このように２つ以上組み合わされた第３の指示情報が、ＵＥ１０に再アタッチを要求することを示す識別情報、もしくはＵＥ１０にトラッキングエリア更新手続きが必要であることを示す識別情報、もしくはコアネットワークの切り替えが必要であることを示す識別情報、もしくはＭＭＥの識別情報として利用されても良い。
【０２４２】
次に、ｅＮＢ４５は、ＵＥコンテキスト解放メッセージに対する応答として、コンテキストリリース完了メッセージをＭＭＥ＿Ａ４０に送信する（Ｓ７１０）。コンテキストリリース完了メッセージは、ＵＥコンテキスト解放メッセージに対する応答メッセージであり、ｅＮＢ４５がＵＥ１０の無線リソースの解放や、ＵＥのコンテキストの削除などをした場合には、コンテキストリリース完了メッセージはこれらの処理が完了したことを通知するメッセージとなる。
【０２４３】
また、ｅＮＢ４５は第２の指示情報の取得に基づいてＭＭＥ情報更新処理を行い、ＭＭＥ情報更新処理に基づいてＭＭＥ情報等を保持し続ける場合には、ＵＥコンテキストもしくは、コアネットワーク（タイプ２）９２のＭＭＥ情報を保持することを示す情報を含めてＵＥコンテキスト解放完了メッセージを送信してもよい。
【０２４４】
また、ＭＭＥ＿Ａ４０は、ＵＥコンテキスト解放完了メッセージを受信し、ＭＭＥ＿Ａ４０が保持するＵＥコンテキストを削除してもよい。
【０２４５】
また、ＵＥ１０は、ＲＲＣコネクション解放を受信し、トラッキングエリア更新手続きを開始してもよい。なお、ＵＥ１０は、第３の指示情報に基づいてトラッキングエリア更新手続きを開始してもよい。もしくは、トラッキングエリア更新要求の送信間隔をカウントするトラッキングエリア更新タイマーが消費された契機により、ＵＥ１０はトラッキングエリア更新手続きを開始してもよい。
【０２４６】
また、ＵＥ１０は、第１の指示情報の受信をもとに、保持するＭＭＥの情報を削除してもよい。削除するＭＭＥの情報は、ＭＭＥ＿Ａ４０のＧＵＭＭＥＩであってよい。もしくは、削除するＭＭＥの情報は、ＭＭＥ＿Ａ４０の属するグループを示すＭＭＥＧＩであってもよい。このように、第１の指示情報もしくは第２の指示情報は、古いＭＭＥの情報を削除することを示す情報として用いられても良い。
【０２４７】
続いてトラッキングエリア更新手続きについて説明する。ＵＥ１０は、トラッキングエリア更新要求メッセージをｅＮＢ４５に送信し、トラッキングエリア更新手続きを開始する（Ｓ７１２）。ＵＥ１０は、トラッキングエリア更新メッセージの送信により、ＵＥ１０の位置するトラッキングエリアの確認または更新を要求する。
【０２４８】
ここで、ＵＥ１０は、少なくともＵＥの識別情報を含めてトラッキングエリア更新メッセージを送信してもよい。
【０２４９】
さらに、ＵＥ１０は、少なくとも第４の指示情報（Ｉｎｄｉｃａｔｏｒ４）を含めてアタッチ要求メッセージを送信してもよい。なお、ＵＥ１０は、第３の指示情報に基づいて、第４の指示情報を含めることを決定しても良い。
【０２５０】
第４の指示情報は、コアネットワークを切り替えることを要求または指示する情報であってよい。
【０２５１】
もしくは、第４の指示情報は、コアネットワークタイプであってよい。なお、コアネットワークタイプは、コアネットワーク（タイプ２）を識別する情報であってもよい。具体的には、また、コアネットワーク（タイプ２）９２を識別するＮＲＩ（Network Resource Identifiers）であってもよい。
【０２５２】
もしくは、第４の指示情報は、コアネットワークの切り替えが必要であることを示す識別情報であってもよい。具体的には、コアネットワークの切り替えが必要であることを示す識別情報は、コアネットワーク（タイプ２）９２を識別するコアネットワークタイプであっても良い。また、コアネットワーク（タイプ２）９２を識別するＮＲＩ（Network Resource Identifiers）であってもよい。もしくは、ＮＵＬＬ−ＭＭＥＧＩや、ＮＵＬＬ−ＮＲＩなど、ゼロなどの特定の値のＭＭＥＧＩやＮＲＩを用いて、特定のＭＭＥＧＩやＮＲＩを示さない情報であってもよい。
【０２５３】
もしくは、第４の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０２５４】
もしくは、第４の指示情報は、これまで説明した、コアネットワークを切り替えることを要求または指示する情報と、コアネットワークタイプと、コアネットワークの切り替えが必要であることを示す識別情報と、ＭＭＥの識別情報を２つ以上組み合わせた情報であっても良い。また、このように２つ以上組み合わせた第２の指示情報が、コアネットワークタイプ、もしくはコアネットワークタイプを切り替えることを示す情報、もしくはＭＭＥの識別情報として利用されても良い。
【０２５５】
ｅＮＢ４５は、トラッキング更新要求メッセージをＵＥ１０から受信する。ｅＮＢ４５は、トラッキングエリア要求メッセージの受信に基づいてＭＭＥ選択処理を実行してもよい。（Ｓ７１４）。
【０２５６】
ＭＭＥ選択処理において、ｅＮＢ４５は、ＭＭＥ情報更新処理に基づいて、ＭＭＥ＿Ｂ４２を選択する。
【０２５７】
もしくは、ｅＮＢ４５は、第４の指示情報に基づいて、ＭＭＥ＿Ｂ４２を選択してもよい。このように、第４の指示情報を受信していない場合には、ｅＮＢ４５はＭＭＥ＿Ａ４０を選択してもよい。
【０２５８】
もしくは、ｅＮＢ４５はＭＭＥ情報更新処理と、第４の指示情報の受信とに基づいてＭＭＥ＿Ｂ４２を選択してもよい。このように、ＭＭＥ情報更新処理に基づくＭＭＥ選択結果がＭＭＥ＿Ｂ４２である場合でも、第４の指示情報を受信していない場合には、ｅＮＢ４５はＭＭＥ＿Ａ４０を選択してもよい。また、第４の指示情報を受信している場合でも、ＭＭＥ情報更新処理が実行されていない場合には、ｅＮＢ４５はＭＭＥ＿Ａ４０を選択してもよい。
【０２５９】
このようにｅＮＢ４５は、第２の指示情報、もしくは第４の指示情報、もしくは第２の指示情報と第４の指示情報によって、コアネットワーク（タイプ１）９０に含まれるＭＭＥ＿Ａ４０か、コアネットワーク（タイプ２）９２に含まれるＭＭＥ＿Ｂ４２かのいずれかを選択することができる。
【０２６０】
なお、ｅＮＢ４５は、タイマーの実行中は、コアネットワーク（タイプ２）９２に含まれるＭＭＥを選択し、タイマーを実行していない場合やコアネットワークを切り替える必要が無い場合は、ＵＥ１０が送信する情報を基にコアネットワーク（タイプ１）に含まれるＭＭＥを選択してもよい。
【０２６１】
その場合の選択方法は、ＵＥ１０が送信する情報に基づいて選択してもよい。例えば、ＵＥ１０は、ＧＵＭＭＥＩなどＭＭＥを識別する情報をトラッキングエリア更新要求メッセージに含めて送信する。ｅＮＢは、受信したＭＭＥが利用可能である場合には、そのＭＭＥを選択してもよい。ここで、ｅＮＢ４５は、ＭＭＥが利用可能であるかどうかを、ＭＭＥに接続性があることによって決定しても良い。本実施形態において、ＵＥ１０が送信する情報は、ＵＥ１０の位置管理を行っていたＭＭＥ_Ａ４０を識別する情報であってよい。
【０２６２】
また、ＵＥ１０から受信したＭＭＥが利用可能ではない場合には、ＵＥ１０はＭＭＥＩなどのＭＭＥのグループの識別情報、もしくはＰ−ＴＭＳＩなどのＵＥ１０の識別情報、もしくはＴＡＩ（Tracking Area ID）やＴＡＣ（Tracking Area Code）などの位置情報、もしくはこれらの2つ以上の任意の情報をトラッキングエリア更新要求メッセージに含めて送信してもよい。ｅＮＢ４５は、これらの情報を受信し、これらの情報を基にＭＭＥを選択してもよい。
【０２６３】
以上でｅＮＢ４５はＭＭＥ選択処理を完了する。
【０２６４】
なお、ｅＮＢ４５は、ＭＭＥ情報更新処理に基づいてカウントを開始したタイマーに基づいて、ＭＭＥ選択処理を実行するか否かを決定してもよい。例えば、タイマーがカウントされている場合には、ＭＭＥ選択処理を行い、タイマーが既に終了した後や、タイマーをカウントしていない場合には、ＭＭＥ選択処理を実行しなくてもよい。
【０２６５】
更に具体的には、タイマーの実行中の場合には、ｅＮＢ４５は、ＭＭＥ＿Ｂ４２を選択し、タイマーを実行していない場合には、ＭＭＥ＿Ａ４０を選択してもよい。なお、タイマーを実行していない場合は、トラッキングエリア更新要求メッセージに含まれるＭＭＥの識別情報に基づいてＭＭＥの選択を実行してもよい。例えば、トラッキングエリア更新要求メッセージで識別されるＭＭＥを選択してもよいし、トラッキングエリア更新要求メッセージに含まれるＭＭＥＧＩを基にＭＭＥを選択してもよいし、デフォルトのＭＭＥを選択してもよい。なお、この場合、ｅＮＢ４５は、ＭＭＥ＿Ａ４０を選択してもよい。
【０２６６】
なお、ｅＮＢ４５は、ＵＥ１０が送信するトラッキングエリア更新要求メッセージを受信した際、タイマーを停止してもよい。
【０２６７】
さらに、ｅＮＢ４５は、ＭＭＥ情報更新処理を実行していない端末装置がトラッキングエリア更新要求メッセージを送信した場合、トラッキングエリア更新要求メッセージに含まれるＭＭＥの識別情報に基づいてＭＭＥの選択を実行してもよい。例えば、トラッキングエリア更新要求メッセージに含まれるＧＵＭＭＥＩで識別されるＭＭＥを選択してもよいし、トラッキングエリア更新要求メッセージに含まれるＭＭＥＧＩを基にＭＭＥを選択してもよいし、デフォルトのＭＭＥを選択してもよい。なお、この場合、ｅＮＢ４５は、ＭＭＥ＿Ａ４０を選択してもよい。
【０２６８】
ｅＮＢ４５はＭＭＥ＿Ｂ４２を選択した場合、ｅＮＢ４５は、トラッキングエリア要求メッセージをＭＭＥ＿Ｂ４２に送信する（Ｓ７１６）。なお、トラッキングエリア要求メッセージ送信後のトラッキングエリア更新手続きは、従来のトラッキング更新手続きと同様の制御メッセージの送受信および処理であってよい。そのため、詳細な説明は省略する。
【０２６９】
また、ｅＮＢ４５はＭＭＥ＿Ａ４０を選択した場合、ＭＭＥ＿Ａ４０にトラッキングエリア更新要求メッセージを送信してもよい。さらに、ｅＮＢ４５は，ＭＭＥ＿Ａ４０からルート再設定要求を受信してもよい。さらに、ｅＮＢ４５は、ルート再設定要求に基づいて、ＭＭＥ＿Ｂ４２を選択し、ＭＭＥ＿Ｂ４２にトラッキング更新要求メッセージを送信しても良い。なお、トラッキング更新要求メッセージの送信後のアタッチ手続きは、従来のトラッキング更新要求メッセージと同様の制御メッセージの送受信および処理であってよい。そのため、詳細な説明は省略する。
【０２７０】
このように、ｅＮＢ４５はＭＭＥ選択処理によりＭＭＥ＿Ｂ４２を選択した場合、リルート再設定要求を受信することなくトラッキング更新要求メッセージを送信することができるなど、制御メッセージの送受信や処理を軽減することができる。
【０２７１】
ＵＥ１０は、トラッキングエリア更新手続きを完了し、ＰＤＮコネクションを用いて通信を行うことができる。
【０２７２】
なお、本手続きにおいて、コアネットワーク（タイプ１）９０とコアネットワーク（タイプ２）９２はそれぞれＰＤＮ＿Ａ１００とＰＤＮ＿Ｂ１０２に接続されると説明したが、図６に示すように、ＰＤＮ＿Ａ１００とＰＤＮ＿Ｂ１０２は同じネットワーク（ＰＤＮ１００）であっても良い。この場合、ＰＧＷ＿Ａ３０とＰＧＷ＿Ｂ３２は同一装置（ＰＧＷ＿Ａ３０）であってよい。
【０２７３】
本手続きでは、ＵＥ１０は、移動制御を行うＭＭＥをＭＭＥ＿Ａ４０からＭＭＥ＿Ｂ４２に変更するが、ＰＤＮコネクションは再確立する必要はない。ＵＥ１０は、ＰＧＷ＿Ａ３０との間に確立したＰＤＮコネクションを用いて通信を継続することができる。
【０２７４】
［１．３．３  第３手続き例］
次に、ＵＥ１０が接続するコアネットワークを変更するための第３手続き例を説明する。手続きの初期状態は、第１手続き例で説明した初期状態と同様であってよい。
【０２７５】
初期状態において、ＵＥ１０はコアネットワーク（タイプ１）９０に接続している。より具体的には、ＵＥ１０はｅＮＢ４５に接続している。さらに、ＵＥ１０はｅＮＢ４５を介してＭＭＥ＿Ａ４０に接続している。さらに、ＵＥ１０は、ＰＧＷ＿Ａ３０との間にＰＤＮコネクションを確立している。ここで、ＰＤＮコネクションとはユーザデータを配送するための通信路のことである。
【０２７６】
なお、コアネットワーク（タイプ１）９０と、コアネットワーク（タイプ２）９２にはそれぞれ異なるＰＧＷが配置されていてもよい。例えば、コアネットワーク（タイプ１）９０にはＰＧＷ＿Ａ３０が含まれて構成され、コアネットワーク（タイプ２）９２にはＰＧＷ＿Ｂ３２が含まれて構成されていてもよい。
【０２７７】
さらに、コアネットワーク（タイプ１）９０と、コアネットワーク（タイプ２）９２にはそれぞれ異なるＳＧＷが配置されていてもよい。例えば、コアネットワーク（タイプ１）９０にはＳＧＷ＿Ａ３５が含まれて構成され、コアネットワーク（タイプ２）９２にはＳＧＷ＿Ｂ３７が含まれて構成されていてもよい。
【０２７８】
第３手続き例を説明するにあたり、初期状態において、ＵＥ１０はＰＧＷ＿Ａ３０との間にＰＤＮコネクションを確立している。さらに、ＵＥ１０とＰＧＷ＿Ａ３０とのＰＤＮコネクションは、ＳＧＷ＿Ａ３５を介して確立している。
【０２７９】
なお、第３手続き例において、ＵＥ１０の識別情報とは、ＵＥ１０に対してグローバルユニークに割り当てられたＧＵＴＩ（Globally Unique Temporary Identity）を用いても良い。もしくは、ＩＭＧＩ（International Mobile Subscriber Identity）などの加入者情報であってもよい。もしくは、Ｐ−ＴＭＳＩ（Packet Temporary Mobile Subscriber Identity）などの識別情報であってもよい。もしくはこれらの識別情報を２つ以上組み合わせてＵＥ１０の識別情報としてもよい。
【０２８０】
また、第３手続き例において、ＭＭＥの識別情報とは、個々のＭＭＥに対応するＧＵＭＭＥＩ（Globally Unique MME Identifier）であっても良い。なお、ＧＵＭＭＥＩは、ＰＬＭＮや、ＭＭＥグループや、ＭＭＥ番号などの情報を含んで構成されたグローバルユニークな識別情報である。もしくは、ＭＭＥの識別情報は、ＭＭＥグループを識別するＭＭＥＧＩ（MME Group Identifier）であってもよい。
【０２８１】
なお、ｅＮＢ４５は、ＭＭＥＧＩと、ＭＭＥＧＩで識別されるＭＭＥグループに属するＧＵＭＭＥＩとを対応づけて予め保持しており、ＭＭＥＧＩを受信した場合、受信したＭＭＥＧＩを基に、ＭＭＥＧＩに属するＧＵＭＭＥＩを選択することができる。
【０２８２】
例えば、ｅＮＢ４５は、コアネットワーク（タイプ２）に属するＭＭＥをグループとするＭＭＥＧＩと、ＭＭＥ＿Ｂ４２などのＭＭＥＧＩにグループに属するＭＭＥのＧＵＭＭＥＩを予め対応づけてＭＭＥ情報に記憶しておいてよい。
【０２８３】
以下、第３手続き例の具体的なステップを、図８を用いて説明する。
【０２８４】
まず、ＭＭＥ＿Ａ４０は、ＵＥ１０の接続するコアネットワークの変更する手続きを開始するトリガーを検出する（Ｓ８０２）。
【０２８５】
なお、トリガー検出処理は、第１手続き例で説明したトリガー検出処理（Ｓ５０２）と同様の処理であってよい。以下、トリガー検出処理を説明する。
【０２８６】
ＭＭＥ＿Ａ４０は、加入者情報の更新に基づいてトリガーを検出してもよい。より具体的には、ＨＳＳ５０に記憶されているＵＥ１０に対応する加入者情報の変更に基づいて、ＨＳＳ５０は変更されたことを示す識別情報を含んだ制御メッセージをＭＭＥ＿Ａ４０に送信する。ＭＭＥ＿Ａ４０は、ＨＳＳ５０が送信する制御メッセージの受信、または、制御メッセージに含まれる識別情報に基づいて、ＵＥ１０の接続するコアネットワークの変更が必要であることを検出してもよい。
【０２８７】
また、制御メッセージに含まれる識別情報は、コアネットワークタイプ２を示すコアネットワークの情報であってもよいし、コアネットワークタイプの変更を要求することを示すフラグ等の情報であってもよい。また、制御メッセージは、コアネットワークの切り替えを要求するための制御メッセージであってもよい。また、制御メッセージには、ＵＥ１０の識別情報が含まれても良い。
【０２８８】
ｅＮＢ４５は、コアネットワーク（タイプ２）に属するＭＭＥをグループとするＭＭＥＧＩを受信してＭＭＥ選択処理してもよい。なお、ｅＮＢ４５は、受信したＭＭＥＧＩに基づいてＭＭＥ＿Ｂ４２を選択してもよい。
【０２８９】
また、ＭＭＥ＿Ａ４０は、コアネットワーク（タイプ２）９２が構成されたことに基づいてトリガーを検出してもよい。より具体的には、ＭＭＥＢ４２もしくはＰＧＷ＿Ｂ３２などのコアネットワーク（タイプ２）９２に含まれる制御装置が設置されたことに伴って開始されてもよい。なお、コアネットワーク運用者がこうした制御装置を設置し、設置に基づいてＭＭＥ＿Ａ４０を手動操作してもよい。ＭＭＥ＿Ａ４０はこうした運用者の手動操作を基にトリガーを検出してもよい。
【０２９０】
次に、ＭＭＥ＿Ａ４０はトリガー検出に基づいてページングメッセージをＵＥ１０に送信する（Ｓ８０４）。
【０２９１】
ここで、ＭＭＥ＿Ａ４０は、ページングメッセージに少なくとも第１の指示情報（Ｉｎｄｉｃａｔｏｒ１）を含めて送信してもよい。
【０２９２】
なお、第１の指示情報は、コアネットワークを切り替えることを要求または指示する情報であってよい。
【０２９３】
もしくは、第１の指示情報は、コアネットワークタイプであってよい。なお、コアネットワークタイプは、コアネットワーク（タイプ２）を識別する情報であってもよい。具体的には、コアネットワーク（タイプ２）９２を識別するＮＲＩ（Network Resource Identifiers）であってもよい。
【０２９４】
もしくは、第１の指示情報は、コアネットワークタイプを切り替えることを示す情報であってもよい。より具体的には、コアネットワークタイプを切り替えることを示す情報は、コアネットワークの切り替えが必要であることを示す理由表示情報要素（Ｃａｕｓｅ  Ｖａｌｕｅ）であっても良い。
【０２９５】
もしくは、第１の指示情報は、ＵＥ１０に再アタッチが必要であることを示す情報であってもよい。より具体的には、ＵＥ１０に再アタッチが必要であることを示す情報は、Ａｔｔａｃｈ  Ｒｅｑｕｉｒｅｄを示す理由表示情報要素（Ｃａｕｓｅ  Ｖａｌｕｅ）であっても良い。
【０２９６】
もしくは、第１の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０２９７】
もしくは、第１の指示情報は、これまで説明した、コアネットワークを切り替えることを要求または指示する情報と、コアネットワークタイプと、コアネットワークタイプを切り替えることを示す情報と、再アタッチが必要であることを示す情報と、ＭＭＥの識別情報を２つ以上組み合わせた情報であっても良い。また、このように２つ以上組み合わせた第１の指示情報が、コアネットワークタイプ、もしくはコアネットワークタイプを切り替えることを示す情報、もしくは再アタッチが必要であることを示す情報、もしくはＭＭＥの識別情報として利用されても良い。
【０２９８】
さらに、ＭＭＥ＿Ａ４０は、ページングメッセージの送信と並行して、もしくはページングメッセージの送信後、ルート再設定要求メッセージをｅＮＢ４５に送信してもよい（Ｓ８０６）。ＭＭＥ＿Ａは、ルート再設定要求メッセージの送信により、ＭＭＥの情報の更新を要求してもよい。
【０２９９】
ここで、ＭＭＥ＿Ａ４０は、少なくとも第２の指示情報（Ｉｎｄｉｃａｔｏｒ２）を含めてルート再設定要求メッセージを送信してもよい。
【０３００】
第２の指示情報は、コアネットワークを切り替えることを要求または指示する情報であってよい。
【０３０１】
もしくは、第２の指示情報は、コアネットワークタイプであってよい。なお、コアネットワークタイプは、コアネットワーク（タイプ２）を識別する情報であってもよい。具体的には、また、コアネットワーク（タイプ２）９２を識別するＮＲＩ（Network Resource Identifiers）であってもよい。
【０３０２】
もしくは、第２の指示情報は、コアネットワークタイプを切り替えることを示す情報であってもよい。より具体的には、コアネットワークタイプを切り替えることを示す情報は、コアネットワークの切り替えが必要であることを示す理由表示情報要素（Ｃａｕｓｅ  Ｖａｌｕｅ）であっても良い。
【０３０３】
もしくは、第２の指示情報は、ＵＥ１０に再アタッチが必要であることを示す情報であってもよい。より具体的には、ＵＥ１０に再アタッチが必要であることを示す情報は、Ａｔｔａｃｈ  Ｒｅｑｕｉｒｅｄを示す理由表示情報要素（Ｃａｕｓｅ  Ｖａｌｕｅ）であっても良い。
【０３０４】
もしくは、第２の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０３０５】
もしくは、第２の指示情報は、これまで説明した、コアネットワークを切り替えることを要求または指示する情報と、コアネットワークタイプと、コアネットワークタイプを切り替えることを示す情報と、再アタッチが必要であることを示す情報と、ＭＭＥの識別情報を２つ以上組み合わせた情報であっても良い。また、このように２つ以上組み合わせた第２の指示情報が、コアネットワークタイプ、もしくはコアネットワークタイプを切り替えることを示す情報、もしくは再アタッチが必要であることを示す情報、もしくはＭＭＥの識別情報として利用されても良い。
【０３０６】
また、ＭＭＥ＿Ａ４０は、少なくともＵＥ１０の識別情報と、タイマー値を含めて送信ＵＥコンテキスト解放メッセージを送信してもよい。なお、タイマー値は、ｅＮＢ４５がＭＭＥの選択のために用いるタイマーの値であってよい。
【０３０７】
なお、ルート再設定要求メッセージは、ＭＭＥの情報の更新を要求または指示するための制御メッセージであればよく、任意の制御メッセージを用いても良い。そのため、ＭＭＥ＿Ａ４０は他の制御メッセージを用いてｅＮＢ４５へＭＭＥの情報の更新を要求または指示してもよい。その際、本実施形態におけるルート再設定要求メッセージに対する説明は、ＭＭＥの情報の更新を要求または指示するための制御メッセージに適用することができる。  次に、ｅＮＢ４５はルート再設定要求メッセージをＭＭＥ＿Ａ４０から受信する。ｅＮＢ４５は、ルート再設定要求メッセージに含まれる情報を基に、ＭＭＥ情報更新処理を実行しても良い（Ｓ８０８）。より具体的には、第２の指示情報に基づいて、ＭＭＥ情報更新処理を実行してもよい。
【０３０８】
なお、ＭＭＥ情報更新処理は、ＵＥ１０が送信するアタッチ要求メッセージの受信に伴って実行するＭＭＥ選択において、ｅＮＢ４５がコアネットワーク（タイプ２）９２に含まれるＭＭＥを選択するようＭＭＥ情報を更新する処理であってよい。
【０３０９】
より具体的には、ｅＮＢ４５は、ＭＭＥ情報更新処理において、ＵＥ１０の識別情報と、第２の指示情報とを対応づけて記憶してもよい。
【０３１０】
また、ｅＮＢ４５は、第２の指示情報の取得により、ＵＥコンテキスト情報を削除せずに保持し続けても良い。一方で、ｅＮＢ４５は、第２の指示情報を取得しなかった場合には、ＵＥコンテキスト情報を削除してもよい。
【０３１１】
また、ｅＮＢ４５は、第２の指示情報に基づいて、タイマーのカウントを開始してもよい。ｅＮＢ４５は、タイマーが実行されている間は、更新したＭＭＥ情報もしくはＵＥコンテキストを保持し続けてもよい。さらに、タイマーが消費された場合、もしくはなんらかの要因によりタイマーを停止した場合には、ｅＮＢ４５は更新したＭＭＥ情報もしくはＵＥコンテキストを削除してもよい。
【０３１２】
ここで、タイマーの値は、予めｅＮＢ４５が保持する値を用いても良いし、ＵＥコンテキストの解放メッセージに含まれたタイマー値を用いてもよい。
【０３１３】
なお、ｅＮＢ４５は、ＭＭＥ情報更新処理を行う前に保持していたＭＭＥの情報は保持し続けても良い。例えば、コアネットワーク（タイプ１）９０に含まれるＭＭＥ＿Ａ４０に対応するＧＵＭＭＥＩや、ＭＭＥ＿Ａ４０の属するＭＭＥのグループを示すＭＭＥＧＩなどは保持しし続けても良い。
【０３１４】
以上により、ＭＭＥ情報更新処理を完了する。さらに、ｅＮＢ４５は、ＭＭＥ情報更新処理の完了に基づいて、ルート再設定要求メッセージの応答として、ルート再設定応答メッセージをＭＭＥ＿Ａ４０に送信してもよい（Ｓ８１０）。ｅＮＢ４５は、ルート再設定応答メッセージの送信により、ＭＭＥ情報の更新処理が完了したことを通知してもよい。
【０３１５】
また、ｅＮＢ４５は第２の指示情報の取得に基づいてＭＭＥ情報更新処理を行い、ＭＭＥ情報更新処理に基づいてＭＭＥ情報等を保持し続ける場合には、ＵＥコンテキストもしくは、コアネットワーク（タイプ２）９２のＭＭＥ情報を保持することを示す情報を含めて、ルート再設定応答メッセージを送信してもよい。
【０３１６】
なお、ルート再設定応答メッセージは、ＭＭＥの情報の更新を要求または指示するための制御メッセージに対する応答であればよく、任意の制御メッセージを用いても良い。そのため、ＭＭＥ＿Ａ４０は他の制御メッセージを用いてＭＭＥ＿Ａ４０へ応答を送信してもよい。その際、本実施形態におけるルート再設定応答メッセージに対する説明は、応答のための制御メッセージに適用することができる。
【０３１７】
また、ＭＭＥ＿Ａ４０は、ルート再設定応答メッセージを受信し、ＭＭＥ＿４０が主導して制御手続きを開始することなく、デタッチ処理（Implicitly detach）を行っても良い（Ｓ８１２）。なお、デタッチ処理では、ＭＭＥ＿Ａ４０が保持するＵＥコンテキストを削除してもよい。
【０３１８】
また、ＵＥ１０は、ページングメッセージを受信し、サービス要求手続きを開始してもよい。なお、ＵＥ１０は、第１の指示情報に基づいてサービス要求手続きを開始してもよい。
【０３１９】
具体的には、ＵＥ１０は、サービス要求メッセージをＭＭＥ＿Ａ４０に送信してもよい（Ｓ８１４）。ＵＥ１０は、サービス要求メッセージの送信により、サービスの開始や、ｅＮＢ４５との間の無線リソースの割り当てを要求してもよい。
【０３２０】
ＭＭＥ＿Ａ４０は、サービス要求メッセージを受信し、サービス要求メッセージに対する応答として、サービスリジェクトメッセージを送信してもよい（Ｓ８１６）。
【０３２１】
サービスリジェクトメッセージの送信は、ＭＭＥ＿Ａ４０においてデタッチ処理が完了していることに基づいて送信しても良い。
【０３２２】
ここで、ＭＭＥ＿Ａ４０は、サービスリジェクトメッセージに少なくともデタッチ処理が完了したことを示す情報を含めて送信してもよい。より具体的には、デタッチ慮委が完了したことを示す情報は、Ｉｍｐｌｉｃｉｔｌｙ  Ｄｅｔａｃｈとする理由表示情報要素（Ｃａｕｓｅ  Ｖａｌｕｅ）であってよい。
【０３２３】
なお、第１の指示情報は、ページングメッセージではなく、サービスリジェクトメッセージに含めてＵＥ１０に送信してもよい。
【０３２４】
ＵＥ１０は、サービスリジェクトメッセージを受信する。サービスリジェクトの受信、もしくはデタッチ処理が完了したことを示す情報に基づいて、アタッチ手続きを開始してもよい。もしくは、サービスリジェクトメッセージの受信に伴い、第1の指示情報を取得していることに基づいてアタッチ手続きを開始しても良い。
【０３２５】
また、ＵＥ１０は、第１の指示情報の受信をもとに、保持するＭＭＥの情報を削除してもよい。削除するＭＭＥの情報は、ＭＭＥ＿Ａ４０のＧＵＭＭＥＩであってよい。もしくは、削除するＭＭＥの情報は、ＭＭＥ＿Ａ４０の属するグループを示すＭＭＥＧＩであってもよい。このように、第１の指示情報は、古いＭＭＥの情報を削除することを示す情報として用いられても良い。また、保持するＭＭＥの情報を削除は、サービスリジェクトメッセージを受信したあとに実行してもよい。
続いてアタッチ手続きについて説明する。ＵＥ１０は、アタッチ要求メッセージをｅＮＢ４５に送信し、アタッチ手続きを開始する（Ｓ８１８）。ＵＥ１０は、アタッチ要求メッセージの送信により、再度コアネットワークへの接続を要求する。なお、ＵＥ１０はアタッチ要求メッセージにＵＥの識別情報を含めて送信してもよい。
【０３２６】
ここで、ＵＥ１０は、少なくとも第４の指示情報（Ｉｎｄｉｃａｔｏｒ４）を含めてアタッチ要求メッセージを送信してもよい。なお、ＵＥ１０は、第1の指示情報、もしくは第３の指示情報、もしくはその両方の指示情報の受信に基づいて、第４の指示情報を含めることを決定しても良い。
【０３２７】
第４の指示情報は、コアネットワークを切り替えることを要求または指示する情報であってよい。
【０３２８】
第４の指示情報は、コアネットワークタイプであってよい。なお、コアネットワークタイプは、コアネットワーク（タイプ２）を識別する情報であってもよい。具体的には、また、コアネットワーク（タイプ２）９２を識別するＮＲＩ（Network Resource Identifiers）であってもよい。
【０３２９】
もしくは、第４の指示情報は、コアネットワークの切り替えが必要であることを示す識別情報であってもよい。具体的には、コアネットワークの切り替えが必要であることを示す識別情報は、コアネットワーク（タイプ２）９２を識別するコアネットワークタイプであっても良い。また、コアネットワーク（タイプ２）９２を識別するＮＲＩ（Network Resource Identifiers）であってもよい。もしくは、ＮＵＬＬ−ＭＭＥＧＩや、ＮＵＬＬ−ＮＲＩなど、ゼロなどの特定の値のＭＭＥＧＩやＮＲＩを用いて、特定のＭＭＥＧＩやＮＲＩを示さない情報であってもよい。
【０３３０】
もしくは、第４の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０３３１】
もしくは、第４の指示情報は、これまで説明した、コアネットワークを切り替えることを要求または指示する情報と、コアネットワークタイプと、コアネットワークの切り替えが必要であることを示す識別情報と、ＭＭＥの識別情報を２つ以上組み合わせた情報であっても良い。また、このように２つ以上組み合わせた第２の指示情報が、コアネットワークタイプ、もしくはコアネットワークタイプを切り替えることを示す情報、もしくは再アタッチが必要であることを示す情報、もしくはＭＭＥの識別情報として利用されても良い。
【０３３２】
また、ＵＥ１０は、第４の指示情報を必ずしもアタッチ要求メッセージに含めて送信しなくてもよい。ＵＥ１０は、アタッチ手続き内でＵＥ１０が送信する制御メッセージに含めて送信してもよい。
【０３３３】
ｅＮＢ４５は、アタッチ要求メッセージをＵＥ１０から受信する。ｅＮＢ４５は、アタッチ要求メッセージの受信に基づいてＭＭＥ選択処理を行う（Ｓ８２０）。
【０３３４】
ＭＭＥ選択処理において、ｅＮＢ４５は、ＭＭＥ情報更新処理に基づいて、ＭＭＥ＿Ｂ４２を選択する。
【０３３５】
もしくは、ｅＮＢ４５は、第４の指示情報に基づいて、ＭＭＥ＿Ｂ４２を選択してもよい。このように、第４の指示情報を受信していない場合には、ｅＮＢ４５はＭＭＥ＿Ａ４０を選択してもよい。
【０３３６】
もしくは、ｅＮＢ４５はＭＭＥ情報更新処理と、第４の指示情報の受信とに基づいてＭＭＥ＿Ｂ４２を選択してもよい。このように、ＭＭＥ情報更新処理に基づくＭＭＥ選択結果がＭＭＥ＿Ｂ４２である場合でも、第４の指示情報を受信していない場合には、ｅＮＢ４５はＭＭＥ＿Ａ４０を選択してもよい。また、第４の指示情報を受信している場合でも、ＭＭＥ情報更新処理が実行されていない場合には、ｅＮＢ４５はＭＭＥ＿Ａ４０を選択してもよい。
【０３３７】
このようにｅＮＢ４５は、第２の指示情報、もしくは第４の指示情報、もしくは第２の指示情報と第４の指示情報によって、コアネットワーク（タイプ１）９０に含まれるＭＭＥ＿Ａ４０か、コアネットワーク（タイプ２）９２に含まれるＭＭＥ＿Ｂ４２かのいずれかを選択することができる。
【０３３８】
なお、ｅＮＢ４５は、タイマーの実行中は、コアネットワーク（タイプ２）９２に含まれるＭＭＥを選択し、タイマーを実行していない場合やコアネットワークを切り替える必要が無い場合は、ＵＥ１０が送信する情報を基にコアネットワーク（タイプ１）に含まれるＭＭＥを選択してもよい。
【０３３９】
その場合の選択方法は、ＵＥ１０が送信する情報に基づいて選択してもよい。例えば、ＵＥ１０は、ＧＵＭＭＥＩなどＭＭＥを識別する情報をアタッチ要求メッセージに含めて送信する。ｅＮＢは、受信したＭＭＥが利用可能である場合には、そのＭＭＥを選択してもよい。ここで、ｅＮＢ４５は、ＭＭＥが利用可能であるかどうかを、ＭＭＥに接続性があることによって決定しても良い。本実施形態において、ＵＥ１０が送信する情報は、ＵＥ１０の位置管理を行っていたＭＭＥ_Ａ４０を識別する情報であってよい。
【０３４０】
また、ＵＥ１０から受信したＭＭＥが利用可能ではない場合には、ＵＥ１０はＭＭＥＩなどのＭＭＥのグループの識別情報、もしくはＰ−ＴＭＳＩなどのＵＥ１０の識別情報、もしくはＴＡＩ（Tracking Area ID）やＴＡＣ（Tracking Area Code）などの位置情報、もしくはこれらの2つ以上の任意の情報をアタッチ要求メッセージに含めて送信してもよい。ｅＮＢ４５は、これらの情報を受信し、これらの情報を基にＭＭＥを選択してもよい。
【０３４１】
以上でｅＮＢ４５はＭＭＥ選択処理を完了する。
【０３４２】
なお、ｅＮＢ４５は、ＭＭＥ情報更新処理に基づいてカウントを開始したタイマーに基づいて、ＭＭＥ選択処理を実行するか否かを決定してもよい。例えば、タイマーがカウントされている場合には、ＭＭＥ選択処理を行い、タイマーが既に終了した後や、タイマーをカウントしていない場合には、ＭＭＥ選択処理を実行しなくてもよい。
【０３４３】
更に具体的には、タイマーの実行中の場合には、ｅＮＢ４５は、ＭＭＥ＿Ｂ４２を選択し、タイマーを実行していない場合には、ＭＭＥ＿Ａ４０を選択してもよい。なお、タイマーを実行していない場合は、アタッチ要求に含まれるＭＭＥの識別情報に基づいてＭＭＥの選択を実行してもよい。例えば、アタッチ要求メッセージに含まれるＧＵＭＭＥＩで識別されるＭＭＥを選択してもよいし、アタッチ要求メッセージに含まれるＭＭＥＧＩを基にＭＭＥを選択してもよいし、デフォルトのＭＭＥを選択してもよい。なお、この場合、ｅＮＢ４５は、ＭＭＥ＿Ａ４０を選択してもよい。
【０３４４】
なお、ｅＮＢ４５は、ＵＥ１０が送信するアタッチ要求メッセージを受信した際、タイマーを停止してもよい。
【０３４５】
さらに、ｅＮＢ４５は、ＭＭＥ情報更新処理を実行していない端末装置がアタッチ要求メッセージを送信した場合、アタッチ要求に含まれるＭＭＥの識別情報に基づいてＭＭＥの選択を実行してもよい。例えば、アタッチ要求メッセージに含まれるＧＵＭＭＥＩで識別されるＭＭＥを選択してもよいし、アタッチ要求メッセージに含まれるＭＭＥＧＩを基にＭＭＥを選択してもよいし、アタッチ要求メッセージに含まれるＭＭＥＧＩを基にＭＭＥを選択してもよいし、デフォルトのＭＭＥを選択してもよい。なお、この場合、ｅＮＢ４５は、ＭＭＥ＿Ａ４０を選択してもよい。
【０３４６】
ｅＮＢ４５はＭＭＥ＿Ｂ４２を選択した場合、ｅＮＢ４５は、アタッチ要求メッセージをＭＭＥ＿Ｂ４２に送信する（Ｓ８２２）。なお、アタッチ要求メッセージの送信後のアタッチ手続きは、従来のアタッチ手続きと同様の制御メッセージの送受信および処理であってよい。そのため、詳細な説明は省略する。
【０３４７】
また、ｅＮＢ４５はＭＭＥ＿Ａ４０を選択した場合、ＭＭＥ＿Ａ４０にアタッチ要求メッセージを送信してもよい。さらに、ｅＮＢ４５はＭＭＥ＿Ａ４０からルート再設定要求を受信してもよい。さらに、ｅＮＢ４５は、ルート再設定要求に基づいて、ＭＭＥ＿Ｂ４２を選択し、ＭＭＥ＿Ｂ４２にアタッチ要求メッセージを送信しても良い。なお、アタッチ要求メッセージの送信後のアタッチ手続きは、従来のアタッチ手続きと同様の制御メッセージの送受信および処理であってよい。そのため、詳細な説明は省略する。
【０３４８】
このように、ｅＮＢ４５はＭＭＥ選択処理によりＭＭＥ＿Ｂ４２を選択した場合、リルート再設定要求を受信することなくアタッチ手続きを実行することができるなど、制御メッセージの送受信や処理を軽減することができる。
【０３４９】
なお、ＭＭＥ＿Ｂ４２は、アタッチ要求メッセージをｅＮＢ４５から受信し、ＳＧＷおよびＰＧＷを選択する。ここで、ＭＭＥ＿Ｂ４２は、コアネットワーク（タイプ２）９２にはＳＧＷ＿Ｂ３７とＰＧＷ＿Ｂ３２を選択して、ＵＥ１０とＰＧＷ＿Ｂ３２との間にＰＤＮコネクションを確立してもよい。
【０３５０】
また、アタッチ手続きにより、ＵＥ１０はＰＧＷ＿Ｂ３２との間にＰＤＮコネクションを確立する。さらに、ＵＥ１０とＰＧＷ＿Ｂ３２とのＰＤＮコネクションは、ＳＧＷ＿Ｂ３７を介して確立している。さらに、ＵＥ１０は、確立したＰＤＮコネクションを用いてＰＤＮ＿Ｂ１０２に含まれる通信装置とユーザデータの送受信を実行することができる。
【０３５１】
なお、本手続きにおいて、コアネットワーク（タイプ１）９０とコアネットワーク（タイプ２）９２はそれぞれＰＤＮ＿Ａ１００とＰＤＮ＿Ｂ１０２に接続されると説明したが、図６に示すように、ＰＤＮ＿Ａ１００とＰＤＮ＿Ｂ１０２は同じネットワーク（ＰＤＮ１００）であっても良い。この場合、ＰＧＷ＿Ａ３０とＰＧＷ＿Ｂ３２は同一装置（ＰＧＷ＿Ａ３０）であってよい。
【０３５２】
つまり、本手続きにより、ＵＥ１０は、移動制御を行うＭＭＥをＭＭＥ＿Ａ４０からＭＭＥＢに変更する。さらに、ＰＤＮコネクションの端点となるＰＧＷは変更することなく新たなＰＤＮコネクションを確立してもよい。また、本手続きで説明したアタッチ手続きにおいて、ＭＭＥ＿Ｂ４２は、ＵＥ１０が以前確立していたＰＤＮコネクションの端点となるＰＧＷ＿Ａ３０を選択してもよい。これにより、ＵＥ１０はＰＧＷ＿Ａ３０との間にＰＤＮコネクションを確立してもよい。
【０３５３】
［１．３．４  第４手続き例］
次に、ＵＥ１０が接続するコアネットワークを変更するための第４手続き例を説明する。手続きの初期状態は、第１手続き例で説明した初期状態と同様であってよい。
【０３５４】
初期状態において、ＵＥ１０はコアネットワーク（タイプ１）９０に接続している。より具体的には、ＵＥ１０はｅＮＢ４５に接続している。さらに、ＵＥ１０はｅＮＢ４５を介してＭＭＥ＿Ａ４０に接続している。さらに、ＵＥ１０は、ＰＧＷ＿Ａ３０との間にＰＤＮコネクションを確立している。ここで、ＰＤＮコネクションとはユーザデータを配送するための通信路のことである。
【０３５５】
なお、コアネットワーク（タイプ１）９０と、コアネットワーク（タイプ２）９２にはそれぞれ異なるＰＧＷが配置されていてもよい。例えば、コアネットワーク（タイプ１）９０にはＰＧＷ＿Ａ３０が含まれて構成され、コアネットワーク（タイプ２）９２にはＰＧＷ＿Ｂ３２が含まれて構成されていてもよい。
【０３５６】
さらに、コアネットワーク（タイプ１）９０と、コアネットワーク（タイプ２）９２にはそれぞれ異なるＳＧＷが配置されていてもよい。例えば、コアネットワーク（タイプ１）９０にはＳＧＷ＿Ａ３５が含まれて構成され、コアネットワーク（タイプ２）９２にはＳＧＷ＿Ｂ３７が含まれて構成されていてもよい。
【０３５７】
第４手続き例を説明するにあたり、初期状態において、ＵＥ１０はＰＧＷ＿Ａ３０との間にＰＤＮコネクションを確立している。さらに、ＵＥ１０とＰＧＷ＿Ａ３０とのＰＤＮコネクションは、ＳＧＷ＿Ａ３５を介して確立している。
【０３５８】
なお、第４手続き例において、ＵＥ１０の識別情報とは、ＵＥ１０に対してグローバルユニークに割り当てられたＧＵＴＩ（Globally Unique Temporary Identity）を用いても良い。もしくは、ＩＭＧＩ（International Mobile Subscriber Identity）などの加入者情報であってもよい。もしくは、Ｐ−ＴＭＳＩ（Packet Temporary Mobile Subscriber Identity）などの識別情報であってもよい。もしくはこれらの識別情報を2つ以上組み合わせてＵＥ１０の識別情報としてもよい。
【０３５９】
また、第４手続き例において、ＭＭＥの識別情報とは、個々のＭＭＥに対応するＧＵＭＭＥＩ（Globally Unique MME Identifier）であっても良い。なお、ＧＵＭＭＥＩは、ＰＬＭＮや、ＭＭＥグループや、ＭＭＥ番号などの情報を含んで構成されたグローバルユニークな識別情報である。もしくは、ＭＭＥの識別情報は、ＭＭＥグループを識別するＭＭＥＧＩ（MME Group Identifier）であってもよい。
【０３６０】
なお、ｅＮＢ４５は、ＭＭＥＧＩと、ＭＭＥＧＩで識別されるＭＭＥグループに属するＧＵＭＭＥＩとを対応づけて予め保持しており、ＭＭＥＧＩを受信した場合、受信したＭＭＥＧＩを基に、ＭＭＥＧＩに属するＧＵＭＭＥＩを選択することができる。
【０３６１】
例えば、ｅＮＢ４５は、コアネットワーク（タイプ２）に属するＭＭＥをグループとするＭＭＥＧＩと、ＭＭＥ＿Ｂ４２などのＭＭＥＧＩにグループに属するＭＭＥのＧＵＭＭＥＩを予め対応づけてＭＭＥ情報に記憶しておいてよい。
【０３６２】
以下、第４手続き例の具体的なステップを、図９を用いて説明する。
【０３６３】
まず、ＭＭＥ＿Ａ４０は、ＵＥ１０の接続するコアネットワークの変更する手続きを開始するトリガーを検出する（Ｓ９０２）。
【０３６４】
なお、トリガー検出処理は、第１手続き例で説明したトリガー検出処理（Ｓ５０２）と同様の処理であってよい。以下、トリガー検出処理を説明する。
【０３６５】
ＭＭＥ＿Ａ４０は、加入者情報の更新に基づいてトリガーを検出してもよい。より具体的には、ＨＳＳ５０に記憶されているＵＥ１０に対応する加入者情報の変更に基づいて、ＨＳＳ５０は変更されたことを示す識別情報を含んだ制御メッセージをＭＭＥ＿Ａ４０に送信する。ＭＭＥ＿Ａ４０は、ＨＳＳ５０が送信する制御メッセージの受信、または、制御メッセージに含まれる識別情報に基づいて、ＵＥ１０の接続するコアネットワークの変更が必要であることを検出してもよい。
【０３６６】
また、識別情報は、コアネットワークタイプ２を示すコアネットワークの情報であってもよいし、コアネットワークタイプの変更を要求することを示すフラグ等の情報であってもよい。また、制御メッセージは、コアネットワークの切り替えを要求するための制御メッセージであってもよい。また、制御メッセージには、ＵＥ１０の識別情報が含まれても良い。
【０３６７】
ｅＮＢ４５は、コアネットワーク（タイプ２）に属するＭＭＥをグループとするＭＭＥＧＩを受信してＭＭＥ選択処理してもよい。なお、ｅＮＢ４５は、受信したＭＭＥＧＩに基づいてＭＭＥ＿Ｂ４２を選択してもよい。
【０３６８】
また、ＭＭＥ＿Ａ４０は、コアネットワーク（タイプ２）９２が構成されたことに基づいてトリガーを検出してもよい。より具体的には、ＭＭＥＢ４２もしくはＰＧＷ＿Ｂ３２などのコアネットワーク（タイプ２）９２に含まれる制御装置が設置されたことに伴って開始されてもよい。なお、コアネットワーク運用者がこうした制御装置を設置し、設置に基づいてＭＭＥ＿Ａ４０を手動操作してもよい。ＭＭＥ＿Ａ４０はこうした運用者の手動操作を基にトリガーを検出してもよい。
【０３６９】
次に、ＭＭＥ＿Ａ４０はトリガー検出に基づいて、ルート再設定要求メッセージをｅＮＢ４５に送信してもよい。ＭＭＥ＿Ａは、ルート再設定要求メッセージの送信により、ＭＭＥの情報の更新を要求してもよい（Ｓ９０６）。ＭＭＥ＿Ａは、ルート再設定要求メッセージの送信により、ＭＭＥの情報の更新を要求してもよい。
【０３７０】
ここで、ＭＭＥ＿Ａ４０は、少なくとも第２の指示情報（Ｉｎｄｉｃａｔｏｒ２）を含めてルート再設定要求メッセージを送信してもよい。
【０３７１】
第２の指示情報は、コアネットワークを切り替えることを要求または指示する情報であってよい。
【０３７２】
もしくは、第２の指示情報は、コアネットワークタイプであってよい。なお、コアネットワークタイプは、コアネットワーク（タイプ２）を識別する情報であってもよい。具体的には、また、コアネットワーク（タイプ２）９２を識別するＮＲＩ（Network Resource Identifiers）であってもよい。
【０３７３】
もしくは、第２の指示情報は、コアネットワークタイプを切り替えることを示す情報であってもよい。より具体的には、コアネットワークタイプを切り替えることを示す情報は、コアネットワークの切り替えが必要であることを示す理由表示情報要素（Ｃａｕｓｅ  Ｖａｌｕｅ）であっても良い。
【０３７４】
もしくは、第２の指示情報は、ＵＥ１０に再アタッチが必要であることを示す情報であってもよい。より具体的には、ＵＥ１０に再アタッチが必要であることを示す情報は、Ａｔｔａｃｈ  Ｒｅｑｕｉｒｅｄを示す理由表示情報要素（Ｃａｕｓｅ  Ｖａｌｕｅ）であっても良い。
【０３７５】
もしくは、第２の指示情報は、ＭＭＥの識別情報であってもよい。ここで、ＭＭＥの識別情報は、コアネットワーク（タイプ２）９２に含まれるＭＭＥを識別する情報であってよい。また、ＭＭＥの識別情報は、ＭＭＥ＿Ｂ４２を識別するＧＵＭＭＥＩであっても良い。また、コアネットワーク（タイプ２）９２に含まれるＭＭＥのグループを識別するＭＭＥＧＩであってもよい。
【０３７６】
もしくは、第２の指示情報は、これまで説明した、コアネットワークを切り替えることを要求または指示する情報と、コアネットワークタイプと、コアネットワークタイプを切り替えることを示す情報と、再アタッチが必要であることを示す情報と、ＭＭＥの識別情報を2つ以上組み合わせた情報であっても良い。また、このように2つ以上組み合わせた第２の指示情報が、コアネットワークタイプ、もしくはコアネットワークタイプを切り替えることを示す情報、もしくは再アタッチが必要であることを示す情報、もしくはＭＭＥの識別情報として利用されても良い。
【０３７７】
また、ＭＭＥ＿Ａ４０は、少なくともＵＥ１０の識別情報と、タイマー値を含めて送信ＵＥコンテキスト解放メッセージを送信してもよい。なお、タイマー値は、ｅＮＢ４５がＭＭＥの選択のために用いるタイマーの値であってよい。
【０３７８】
また、タイマーの値は、ＵＥ１０がトラッキングエリア更新手続きを実行する間隔と同じ時間、もしくはそれ以上の時間に設定した値であってよい。もしくは、タイマーの値は、ＵＥ１０が次回のトラッキングエリア更新手続きを実行するまでの時間、もしくはそれ以上の時間に設定した値であってよい。もしくは、タイマーの値は、ＵＥ１０のトラッキングエリア更新タイマーの残時間、もしくはそれ以上の時間に設定した値であってよい。なお、トラッキングエリア更新タイマーは、トラッキングエリア更新手続きの実行に伴い、ＵＥ１０とＭＭＥ＿Ａ４０がカウントを開始するタイマーであり、ＵＥ１０は、タイマーの消費（expire）に伴い、トラッキングエリア更新手続きを開始する。したがって、トラッキングエリア更新タイマーの残時間は、次回のトラッキングエリア更新手続きが開始されるまでの時間となる。
【０３７９】
次に、ｅＮＢ４５はルート再設定要求メッセージをＭＭＥ＿Ａ４０から受信する。ｅＮＢ４５は、ルート再設定要求メッセージに含まれる情報を基に、ＭＭＥ情報更新処理を実行しても良い（Ｓ９０８）。より具体的には、第２の指示情報に基づいて、ＭＭＥ情報更新処理を実行してもよい。
【０３８０】
なお、ＭＭＥ情報更新処理は、ＵＥ１０が送信するトラッキングエリア要求メッセージの受信に伴って実行するＭＭＥ選択において、ｅＮＢ４５がコアネットワーク（タイプ２）９２に含まれるＭＭＥを選択するようＭＭＥ情報を更新する処理であってよい。
【０３８１】
より具体的には、ｅＮＢ４５は、ＭＭＥ情報更新処理において、ＵＥ１０の識別情報と、第２の指示情報とを対応づけて記憶してもよい。
【０３８２】
また、ｅＮＢ４５は、第２の指示情報の取得により、ＵＥコンテキスト情報を削除せずに保持し続けても良い。一方で、ｅＮＢ４５は、第２の指示情報を取得しなかった場合には、ＵＥコンテキスト情報を削除してもよい。
【０３８３】
また、ｅＮＢ４５は、第２の指示情報に基づいて、タイマーのカウントを開始してもよい。ｅＮＢ４５は、タイマーが実行されている間は、更新したＭＭＥ情報もしくはＵＥコンテキストを保持し続けてもよい。さらに、タイマーが消費された場合、もしくはなんらかの要因によりタイマーを停止した場合には、ｅＮＢ４５は更新したＭＭＥ情報もしくはＵＥコンテキストを削除してもよい。
【０３８４】
ここで、タイマーの値は、予めｅＮＢ４５が保持する値を用いても良いし、ＵＥコンテキストの解放メッセージに含まれたタイマー値を用いてもよい。
【０３８５】
なお、タイマーの値は、ＵＥ１０のトラッキングエリア更新手続きの間隔以上のタイマー値を設定しても良い。もしくは、ＵＥ１０のトラッキングエリア更新タイマーの残時間以上の値を設定しても良い。
【０３８６】
なお、ｅＮＢ４５は、ＭＭＥ情報更新処理を行う前に保持していたＭＭＥの情報は保持し続けても良い。例えば、コアネットワーク（タイプ１）９０に含まれるＭＭＥ＿Ａ４０に対応するＧＵＭＭＥＩや、ＭＭＥ＿Ａ４０の属するＭＭＥのグループを示すＭＭＥＧＩなどは保持しし続けても良い。
【０３８７】
以上により、ＭＭＥ情報更新処理を完了する。さらに、ｅＮＢ４５は、ＭＭＥ情報更新処理の完了に基づいて、ルート再設定要求メッセージの応答として、ルート再設定応答メッセージをＭＭＥ＿Ａ４０に送信してもよい（Ｓ９１０）。ｅＮＢ４５は、ルート再設定応答メッセージの送信により、ＭＭＥ情報の更新処理が完了したことを通知してもよい。
【０３８８】
また、ｅＮＢ４５は第２の指示情報の取得に基づいてＭＭＥ情報更新処理を行い、ＭＭＥ情報更新処理に基づいてＭＭＥ情報等を保持し続ける場合には、ＵＥコンテキストもしくは、コアネットワーク（タイプ２）９２のＭＭＥ情報を保持することを示す情報を含めて、ルート再設定応答メッセージを送信してもよい。
【０３８９】
また、ＵＥ１０は、トラッキングエリア更新手続きを開始してもよい。なお、ＵＥ１０は、トラッキングエリア更新要求の送信間隔をカウントするトラッキングエリア更新タイマーが消費された契機により、トラッキングエリア更新手続きを開始してもよい。
【０３９０】
続いてトラッキングエリア更新手続きについて説明する。ＵＥ１０は、トラッキングエリア更新要求メッセージをｅＮＢ４５に送信し、トラッキングエリア更新手続きを開始する（Ｓ９１２）。
【０３９１】
ｅＮＢ４５は、トラッキング更新要求メッセージをＵＥ１0から受信する。ｅＮＢ４５は、トラッキングエリア要求メッセージの受信に基づいてＭＭＥ選択処理を実行してもよい（Ｓ９１４）。
【０３９２】
ＭＭＥ選択処理において、ｅＮＢ４５は、ＭＭＥ情報更新処理に基づいて、ＭＭＥ＿Ｂ４２を選択する。また、ｅＮＢ４５は、ＭＭＥ情報更新処理が実行されていない場合には、ｅＮＢ４５はＭＭＥ＿Ａ４０を選択してもよい。
【０３９３】
このようにｅＮＢ４５は、第２の指示情報によって、コアネットワーク（タイプ１）９０に含まれるＭＭＥ＿Ａ４０か、コアネットワーク（タイプ２）９２に含まれるＭＭＥ＿Ｂ４２かのいずれかを選択することができる。
【０３９４】
なお、ｅＮＢ４５は、タイマーの実行中は、コアネットワーク（タイプ２）９２に含まれるＭＭＥを選択し、タイマーを実行していない場合やコアネットワークを切り替える必要が無い場合は、ＵＥ１０が送信する情報を基にコアネットワーク（タイプ１）に含まれるＭＭＥを選択してもよい。
タイマーを実行していない場合やコアネットワークを切り替える必要が無い場合は、ＵＥ１０が送信する情報を基にコアネットワーク（タイプ１）に含まれるＭＭＥを選択してもよい。
【０３９５】
その場合の選択方法は、ＵＥ１０が送信する情報に基づいて選択してもよい。例えば、ＵＥ１０は、ＧＵＭＭＥＩなどＭＭＥを識別する情報をトラッキングエリア更新要求メッセージに含めて送信する。ｅＮＢは、受信したＭＭＥが利用可能である場合には、受信したＭＭＥを選択してもよい。ここで、ｅＮＢ４５は、ＭＭＥが利用可能であるかどうかを、ＭＭＥに接続性があることによって決定しても良い。本実施形態において、ＵＥ１０が送信する情報は、ＵＥ１０の位置管理を行っていたＭＭＥ_Ａ４０を識別する情報であってよい。
【０３９６】
また、ＵＥ１０から受信したＭＭＥが利用可能ではない場合には、ＵＥ１０はＭＭＥＩなどのＭＭＥのグループの識別情報、もしくはＰ−ＴＭＳＩなどのＵＥ１０の識別情報、もしくはＴＡＩ（Tracking Area ID）やＴＡＣ（Tracking Area Code）などの位置情報、もしくはこれらの2つ以上の任意の情報をトラッキングエリア更新要求メッセージに含めて送信してもよい。ｅＮＢ４５は、これらの情報を受信し、これらの情報を基にＭＭＥを選択してもよい。
【０３９７】
以上でｅＮＢ４５はＭＭＥ選択処理を完了する。
【０３９８】
なお、ｅＮＢ４５は、ＭＭＥ情報更新処理に基づいてカウントを開始したタイマーに基づいて、ＭＭＥ選択処理を実行するか否かを決定してもよい。例えば、タイマーがカウントされている場合には、ＭＭＥ選択処理を行い、タイマーが既に終了した後や、タイマーをカウントしていない場合には、ＭＭＥ選択処理を実行しなくてもよい。
【０３９９】
更に具体的には、タイマーの実行中の場合には、ｅＮＢ４５は、ＭＭＥ＿Ｂ４２を選択し、タイマーを実行していない場合には、ＭＭＥ＿Ａ４０を選択してもよい。なお、タイマーを実行していない場合は、トラッキングエリア更新要求メッセージに含まれるＭＭＥの識別情報に基づいてＭＭＥの選択を実行してもよい。例えば、トラッキングエリア更新要求メッセージで識別されるＭＭＥを選択してもよいし、トラッキングエリア更新要求メッセージに含まれるＭＭＥＧＩを基にＭＭＥを選択してもよいし、デフォルトのＭＭＥを選択してもよい。なお、この場合、ｅＮＢ４５は、ＭＭＥ＿Ａ４０を選択してもよい。
【０４００】
なお、ｅＮＢ４５は、ＵＥ１０が送信するトラッキングエリア更新要求メッセージを受信した際、タイマーを停止してもよい。
【０４０１】
さらに、ｅＮＢ４５は、ＭＭＥ情報更新処理を実行していない端末装置がトラッキングエリア更新要求メッセージを送信した場合、トラッキングエリア更新要求メッセージに含まれるＭＭＥの識別情報に基づいてＭＭＥの選択を実行してもよい。例えば、トラッキングエリア更新要求メッセージに含まれるＧＵＭＭＥＩで識別されるＭＭＥを選択してもよいし、トラッキングエリア更新要求メッセージに含まれるＭＭＥＧＩを基にＭＭＥを選択してもよいし、デフォルトのＭＭＥを選択してもよい。なお、この場合、ｅＮＢ４５は、ＭＭＥ＿Ａ４０を選択してもよい。
【０４０２】
ｅＮＢ４５はＭＭＥ＿Ｂ４２を選択した場合、ｅＮＢ４５は、トラッキングエリア要求メッセージをＭＭＥ＿Ｂ４２に送信する（Ｓ９１６）。なお、トラッキングエリア要求メッセージ送信後のトラッキングエリア更新手続きは、従来のトラッキング更新手続きと同様の制御メッセージの送受信および処理であってよい。そのため、詳細な説明は省略する。
【０４０３】
また、ｅＮＢ４５はＭＭＥ＿Ａ４０を選択した場合、ＭＭＥ＿Ａ４０にトラッキングエリア更新要求メッセージを送信してもよい。さらに、ｅＮＢ４５は、ＭＭＥ＿Ａ４０からルート再設定要求を受信してもよい。さらに、ｅＮＢ４５は、ルート再設定要求に基づいて、ＭＭＥ＿Ｂ４２を選択し、ＭＭＥ＿Ｂ４２にトラッキング更新要求メッセージを送信しても良い。なお、トラッキング更新要求メッセージの送信後のアタッチ手続きは、従来のトラッキング更新要求メッセージと同様の制御メッセージの送受信および処理であってよい。そのため、詳細な説明は省略する。
【０４０４】
このように、ｅＮＢ４５はＭＭＥ選択処理によりＭＭＥ＿Ｂ４２を選択した場合、リルート再設定要求を受信することなくトラッキング更新要求メッセージを実行することができるなど、制御メッセージの送受信や処理を軽減することができる。
【０４０５】
ＵＥ１０は、トラッキングエリア更新手続きを完了し、ＰＤＮコネクションを用いて通信を行うことができる。
【０４０６】
なお、本手続きにおいて、コアネットワーク（タイプ１）９０とコアネットワーク（タイプ２）９２はそれぞれＰＤＮ＿Ａ１００とＰＤＮ＿Ｂ１０２に接続されると説明したが、図６に示すように、ＰＤＮ＿Ａ１００とＰＤＮ＿Ｂ１０２は同じネットワーク（ＰＤＮ１００）であっても良い。この場合、ＰＧＷ＿Ａ３０とＰＧＷ＿Ｂ３２は同一装置（ＰＧＷ＿Ａ３０）であってよい。
【０４０７】
本手続きでは、ＵＥ１０は、移動制御を行うＭＭＥをＭＭＥ＿Ａ４０からＭＭＥＢに変更するが、ＰＤＮコネクションは再確立する必要はない。ＵＥ１０は、ＰＧＷ＿Ａ３０との間に確立したＰＤＮコネクションを用いて通信を継続することができる。
【０４０８】
［１．３．５  手続き選択処理］
これまで、コアネットワークを変更するための手続きとして、第１手続き例から第４手続き例まで詳述してきた。なお、ＭＭＥ＿Ａ４０は、条件により第１手続き例から第４続き例のうちどの手続きを実行するか決定してもよい。
【０４０９】
例えば、ＭＭＥ＿Ａ４０は、アタッチをしているＵＥ１０の状態により、手続きを選択してもよい。より具体的には、ＭＭＥ＿Ａ４０は、アタッチしているＵＥ１０の状態を管理する。ＵＥ１０の状態としては、無線リソースが解放された状態のアイドル状態か、無線リソースが割り当てられ、データ送受信が可能な状態のアクティブ状態かなどを管理しても良い。
【０４１０】
また、ＭＭＥ＿Ａ４０は、コアネットワークの変更に際し、ＰＧＷを変更する必要があるか否かに基づいて、手続きを選択してもよい。なお、ＰＧＷを変更するか否かの決定は、通信事業者のポリシーに基づいて決定されてよい。
【０４１１】
さらに、ＵＥ１０の状態や、ＰＧＷの変更の必要性を組み合わせて決定しても良い。例えば、ＵＥ１０がアクティブ状態であり、ＰＧＷの変更が必要である場合には、ＭＭＥ＿Ａ４０は第１の手続きを選択してもよい。より具体的には、ＵＥ１０がアクティブ状態であり、ＰＧＷの変更が必要である場合には、ＵＥ１０はデタッチ要求メッセージを送信し（Ｓ５０４）、それに続く第１の手続きを実行してもよい。
【０４１２】
また、ＵＥ１０がアクティブ状態であり、ＰＧＷの変更が必要ない場合には、ＭＭＥ＿Ａ４０は第２の手続きを選択してもよい。より具体的には、ＵＥ１０がアクティブ状態であり、ＰＧＷの変更が必要ない場合には、ＵＥ１０はＵＥコンテキスト解放メッセージを送信し（Ｓ７０４）、それに続く第２の手続きを実行してもよい。
【０４１３】
また、ＵＥ１０がアイドル状態であり、ＰＧＷの変更が必要である場合には、ＭＭＥ＿Ａ４０は第３の手続きを選択してもよい。より具体的には、ＵＥ１０がアイドル状態であり、ＰＧＷの変更が必要である場合には、ＵＥ１０はページングメッセージを送信し（Ｓ８０４）、それに続く第３の手続きを実行してもよい。
【０４１４】
また、ＵＥ１０がアイドル状態であり、ＰＧＷの変更が必要ない場合には、ＭＭＥ＿Ａ４０は第４の手続きを選択してもよい。より具体的には、ＵＥ１０がアイドル状態であり、ＰＧＷの変更が必要ない場合には、ＵＥ１０はルート再設定要求メッセージを送信し（Ｓ９０４）、それに続く第４の手続きを実行してもよい。
【０４１５】
なお、ＭＭＥ＿Ａ４０は、手続きを開始するトリガーを検出した後にこれらの手続きの選択を実行してもよい。
【０４１６】
以上の手続きにより、ＭＭＥ＿Ａ４０が主導して、ＵＥ１０の接続するコアネットワークを変更することができる。
【０４１７】
［２  変形例］
以上、この発明の実施形態および変形例について図面を参照して詳述してきたが、具体的な構成はこの実施形態に限られるものではなく、この発明の要旨を逸脱しない範囲の設計等も特許請求の範囲に含まれる。
【０４１８】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０４１９】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０４２０】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０４２１】
また、上述した実施形態における各装置の一部又は全部を典型的には集積回路であるＬＳＩ（Large Scale Integration）として実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【０４２２】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。
【符号の説明】
【０４２３】
１  通信システム
１０  ＵＥ
３０  ＰＧＷ＿Ａ
３２  ＰＧＷ＿Ｂ
３５  ＳＧＷ＿Ａ
３７  ＳＧＷ＿Ｂ
４０  ＭＭＥ＿Ａ
４２  ＭＭＥ＿Ｂ
４５  ｅＮＢ
５０  ＨＳＳ
５５  ＡＡＡ
６０  ＰＣＲＦ
６５  ｅＰＤＧ
７０  ＷＬＡＮ  ＡＮａ
７５  ＷＬＡＮ  ＡＮｂ
８０  ＬＴＥ  ＡＮ
９０  コアネットワーク（タイプ１）
９２  コアネットワーク（タイプ２）
１００  ＰＤＮ＿Ａ
１０２  ＰＤＮ＿Ｂ 
【図１】
2016056321.tif 000003
【図２】
2016056321.tif 000004
【図３】
2016056321.tif 000005
【図４】
2016056321.tif 000006
【図５】
2016056321.tif 000007
【図６】
2016056321.tif 000008
【図７】
2016056321.tif 000009
【図８】
2016056321.tif 000010
【図９】
2016056321.tif 000011
【国際調査報告】
2016056321.tif 000012
2016056321.tif 000013
2016056321.tif 000014